(57)【要約】  本発明の実施例は、情報送信方法及び装置を提供し、ここで、第１のサブフレームにおいてユーザ装置の間で直接通信が実行されるとともに、ユーザ装置の間で実行された直接通信のチャネル状態情報が第２のサブフレームにおいて第３の装置に対して送信され、したがって、第３の装置は、ユーザ装置の間のチャネル状態情報を学習することができるとともに、直接通信を実行するユーザ装置に関してリソーススケジューリングを更に実行することができる。
2016527762.tif 000002
【特許請求の範囲】
【請求項１】
情報送信方法であって、
第１のユーザ装置により、第１のサブフレームにおいて第２のユーザ装置と直接通信を実行するステップと、
前記第１のユーザ装置により、前記第１のユーザ装置と前記第２のユーザ装置との間で実行された直接通信のチャネル状態情報を第２のサブフレームにおいて第３の装置に送信するステップと、
前記第１のユーザ装置により、前記チャネル状態情報に従って前記第３の装置により送信されるリソーススケジューリング情報を受信するステップとを含む、方法。
【請求項２】
前記第１のユーザ装置が、前記第１のユーザ装置と前記第２のユーザ装置との間で実行された直接通信の通信状態情報であって、課金を行うか又はリンクを解放するために使用される前記通信状態情報を前記第２のサブフレームにおいて前記第３の装置に更に送信する、請求項１に記載の方法。
【請求項３】
前記第１のユーザ装置と前記第２のユーザ装置との間で実行された直接通信の前記チャネル状態情報が、直接通信を実行するために前記第１のユーザ装置及び前記第２のユーザ装置に割り当てられたリソースのチャネル状態情報、直接通信を実行するために前記第１のユーザ装置及び前記第２のユーザ装置に割り当てられなかったリソースのチャネル状態情報、及びシステムの帯域幅範囲の中のリソースのチャネル状態情報のうちの少なくとも１つを含む、請求項１又は請求項２に記載の方法。
【請求項４】
前記第１のユーザ装置と前記第２のユーザ装置との間で実行された直接通信の前記通信状態情報が、前記第１のユーザ装置と前記第２のユーザ装置との間で実行された直接通信の通信データ量情報、及び前記第１のユーザ装置と前記第２のユーザ装置との間で実行された直接通信の通信解放情報のうちの少なくとも１つを含む、請求項２又は請求項３に記載の方法。
【請求項５】
直接通信を実行するために前記第１のユーザ装置及び前記第２のユーザ装置に割り当てられたリソースの前記チャネル状態情報が、
使用されたとともに、直接通信を実行するために前記第１のユーザ装置及び前記第２のユーザ装置に割り当てられたリソース内に存在するリソースのリソース識別子か、又は、
使用されなかったとともに、直接通信を実行するために前記第１のユーザ装置及び前記第２のユーザ装置に割り当てられたリソース内に存在するリソースのリソース識別子を含み、
直接通信を実行するために前記第１のユーザ装置及び前記第２のユーザ装置に割り当てられなかったリソースの前記チャネル状態情報が、直接通信を実行するために前記第１のユーザ装置及び前記第２のユーザ装置に割り当てられなかったリソースにおける一部又は全部のリソースのリソース識別子を含むとともに、
システムの帯域幅範囲の中のリソースの前記チャネル状態情報が、システムの帯域幅範囲の中のリソースにおける一部又は全部のリソースのリソース識別子を含む、請求項３に記載の方法。
【請求項６】
前記第１のユーザ装置により、前記第１のユーザ装置と前記第２のユーザ装置との間で実行された直接通信のチャネル状態情報を第２のサブフレームにおいて第３の装置に送信する前記ステップの前に、当該方法が、
前記第１のユーザ装置により、前記第３の装置により送信され、前記チャネル状態情報及び前記通信状態情報のうちの少なくとも１つを前記第３の装置に送信するように前記第１のユーザ装置をトリガするために使用されるトリガシグナリングを受信するステップを更に含む、請求項１から請求項５のいずれか一項に記載の方法。
【請求項７】
各送信期間が前記第１のサブフレーム及び前記第２のサブフレームを含み、
第１のユーザ装置により、第１のサブフレームにおいて第２のユーザ装置と直接通信を実行する前記ステップが、
前記第１のユーザ装置により、各送信期間の前記第１のサブフレームにおいて前記第２のユーザ装置と直接通信を実行するステップを含み、
前記第１のユーザ装置により、前記第１のユーザ装置と前記第２のユーザ装置との間で実行された直接通信のチャネル状態情報を第２のサブフレームにおいて第３の装置に送信する前記ステップが、
前記第１のユーザ装置により、前記第１のユーザ装置と前記第２のユーザ装置との間で実行された直接通信の前記チャネル状態情報を少なくとも１つの送信期間の前記第２のサブフレームにおいて前記第３の装置に送信するステップを含み、
前記第１のユーザ装置により、前記第１のユーザ装置と前記第２のユーザ装置との間で実行された直接通信の通信状態情報を前記第２のサブフレームにおいて前記第３の装置に更に送信する前記ステップが、
前記第１のユーザ装置により、前記第１のユーザ装置と前記第２のユーザ装置との間で実行された直接通信の前記通信状態情報を少なくとも１つの送信期間の前記第２のサブフレームにおいて前記第３の装置に更に送信するステップを含む、請求項１から請求項６のいずれか一項に記載の方法。
【請求項８】
前記第１のユーザ装置が前記チャネル状態情報を前記第２のサブフレームにおいて前記第３の装置に送信する期間が、前記第１のユーザ装置が前記通信状態情報を前記第２のサブフレームにおいて前記第３の装置に送信する期間より短い、請求項７に記載の方法。
【請求項９】
前記第２のサブフレームが前記第１のサブフレームの一部分であるか、又は、前記第２のサブフレームが前記第１のサブフレームと重複しない、請求項１から請求項８のいずれか一項に記載の方法。
【請求項１０】
情報送信方法であって、
第３の装置により、第１のユーザ装置又は第２のユーザ装置により第２のサブフレームにおいて送信されるチャネル状態情報であって、前記第１のユーザ装置と前記第２のユーザ装置との間で実行された直接通信の前記チャネル状態情報を受信するステップと、
前記第３の装置により、前記チャネル状態情報に従って前記第１のユーザ装置又は前記第２のユーザ装置にリソーススケジューリング情報を送信するステップとを含む、方法。
【請求項１１】
当該方法が、
前記第３の装置により、前記第１のユーザ装置又は前記第２のユーザ装置により前記第２のサブフレームにおいて送信される通信状態情報であって、前記第１のユーザ装置と前記第２のユーザ装置との間で実行された直接通信の前記通信状態情報を受信するステップと、
前記第３の装置により、前記通信状態情報に従って課金を行うか又はリンクを解放するステップとを更に含む、請求項９に記載の方法。
【請求項１２】
前記第１のユーザ装置と前記第２のユーザ装置との間で実行された直接通信の前記チャネル状態情報が、直接通信を実行するために前記第１のユーザ装置及び前記第２のユーザ装置に割り当てられたリソースのチャネル状態情報、直接通信を実行するために前記第１のユーザ装置及び前記第２のユーザ装置に割り当てられなかったリソースのチャネル状態情報、及びシステムの帯域幅範囲の中のリソースのチャネル状態情報のうちの少なくとも１つを含む、請求項１０又は請求項１１に記載の方法。
【請求項１３】
前記第１のユーザ装置と前記第２のユーザ装置との間で実行された直接通信の前記通信状態情報が、前記第１のユーザ装置と前記第２のユーザ装置との間で実行された直接通信の通信データ量情報、及び前記第１のユーザ装置と前記第２のユーザ装置との間で実行された直接通信の通信解放情報のうちの少なくとも１つを含む、請求項１１又は請求項１２に記載の方法。
【請求項１４】
直接通信を実行するために前記第１のユーザ装置及び前記第２のユーザ装置に割り当てられたリソースの前記チャネル状態情報が、
使用されたとともに、直接通信を実行するために前記第１のユーザ装置及び前記第２のユーザ装置に割り当てられたリソース内に存在するリソースのリソース識別子か、又は、
使用されなかったとともに、直接通信を実行するために前記第１のユーザ装置及び前記第２のユーザ装置に割り当てられたリソース内に存在するリソースのリソース識別子を含み、
直接通信を実行するために前記第１のユーザ装置及び前記第２のユーザ装置に割り当てられなかったリソースの前記チャネル状態情報が、直接通信を実行するために前記第１のユーザ装置及び前記第２のユーザ装置に割り当てられなかったリソースにおける一部又は全部のリソースのリソース識別子を含むとともに、
システムの帯域幅範囲の中のリソースの前記チャネル状態情報が、システムの帯域幅範囲の中のリソースにおける一部又は全部のリソースのリソース識別子を含む、請求項１２に記載の方法。
【請求項１５】
第３の装置により、第１のユーザ装置又は第２のユーザ装置により第２のサブフレームにおいて送信されるチャネル状態情報であって、前記第１のユーザ装置と前記第２のユーザ装置との間で実行された直接通信の前記チャネル状態情報を受信する前記ステップの前に、当該方法が、
前記第３の装置により、前記チャネル状態情報及び前記通信状態情報のうちの少なくとも１つを前記第３の装置に送信するように前記第１のユーザ装置又は前記第２のユーザ装置をトリガするために使用されるトリガシグナリングを前記第１のユーザ装置又は前記第２のユーザ装置に送信するステップを更に含む、請求項１０から請求項１４のいずれか一項に記載の方法。
【請求項１６】
第３の装置により、第１のユーザ装置又は第２のユーザ装置により第２のサブフレームにおいて送信されるチャネル状態情報であって、前記第１のユーザ装置と前記第２のユーザ装置との間で実行された直接通信の前記チャネル状態情報を受信する前記ステップが、
前記第３の装置により、前記第１のユーザ装置又は前記第２のユーザ装置により少なくとも１つの送信期間の前記第２のサブフレームにおいて送信される前記チャネル状態情報を受信するステップを含み、
前記第３の装置により、前記第１のユーザ装置又は前記第２のユーザ装置により前記第２のサブフレームにおいて送信される通信状態情報であって、前記第１のユーザ装置と前記第２のユーザ装置との間で実行された直接通信の前記通信状態情報を受信する前記ステップが、
前記第３の装置により、前記第１のユーザ装置又は前記第２のユーザ装置により少なくとも１つの送信期間の前記第２のサブフレームにおいて送信される前記通信状態情報であって、前記第１のユーザ装置と前記第２のユーザ装置との間で実行された直接通信の前記通信状態情報を受信するステップを含む、請求項１０から請求項１５のいずれか一項に記載の方法。
【請求項１７】
前記第２のサブフレームが前記第１のサブフレームの一部分であるか、又は、前記第２のサブフレームが前記第１のサブフレームと重複しない、請求項１０から請求項１６のいずれか一項に記載の方法。
【請求項１８】
ユーザ装置であって、
第１のサブフレームにおいて第２のユーザ装置と直接通信を実行するように構成される通信モジュールと、
当該ユーザ装置と前記第２のユーザ装置との間で実行された直接通信のチャネル状態情報を第２のサブフレームにおいて第３の装置に送信するように構成される送信モジュールと、
前記チャネル状態情報に従って前記第３の装置により送信されるリソーススケジューリング情報を受信するように構成される受信モジュールとを備える、ユーザ装置。
【請求項１９】
前記送信モジュールが、当該ユーザ装置と前記第２のユーザ装置との間で実行された直接通信の通信状態情報であって、課金を行うか又はリンクを解放するために使用される前記通信状態情報を前記第２のサブフレームにおいて前記第３の装置に送信するように更に構成される、請求項１８に記載のユーザ装置。
【請求項２０】
当該ユーザ装置と前記第２のユーザ装置との間で実行された直接通信の前記チャネル状態情報が、直接通信を実行するために当該ユーザ装置及び前記第２のユーザ装置に割り当てられたリソースのチャネル状態情報、直接通信を実行するために当該ユーザ装置及び前記第２のユーザ装置に割り当てられなかったリソースのチャネル状態情報、及びシステムの帯域幅範囲の中のリソースのチャネル状態情報のうちの少なくとも１つを含む、請求項１８又は請求項１９に記載のユーザ装置。
【請求項２１】
当該ユーザ装置と前記第２のユーザ装置との間で実行された直接通信の前記通信状態情報が、当該ユーザ装置と前記第２のユーザ装置との間で実行された直接通信の通信データ量情報、及び当該ユーザ装置と前記第２のユーザ装置との間で実行された直接通信の通信解放情報のうちの少なくとも１つを含む、請求項１９又は請求項２０に記載のユーザ装置。
【請求項２２】
直接通信を実行するために当該ユーザ装置及び前記第２のユーザ装置に割り当てられたリソースの前記チャネル状態情報が、
使用されたとともに、直接通信を実行するために当該ユーザ装置及び前記第２のユーザ装置に割り当てられたリソース内に存在するリソースのリソース識別子か、又は、
使用されなかったとともに、直接通信を実行するために当該ユーザ装置及び前記第２のユーザ装置に割り当てられたリソース内に存在するリソースのリソース識別子を含み、
直接通信を実行するために当該ユーザ装置及び前記第２のユーザ装置に割り当てられなかったリソースの前記チャネル状態情報が、直接通信を実行するために当該ユーザ装置及び前記第２のユーザ装置に割り当てられなかったリソースにおける一部又は全部のリソースのリソース識別子を含むとともに、
システムの帯域幅範囲の中のリソースの前記チャネル状態情報が、システムの帯域幅範囲の中のリソースにおける一部又は全部のリソースのリソース識別子を含む、請求項２０に記載のユーザ装置。
【請求項２３】
前記受信モジュールが、前記第３の装置により送信され、前記チャネル状態情報及び前記通信状態情報のうちの少なくとも１つを前記第３の装置に送信するように当該ユーザ装置をトリガするために使用されるトリガシグナリングを受信するように更に構成される、請求項１８から請求項２２のいずれか一項に記載のユーザ装置。
【請求項２４】
各送信期間が前記第１のサブフレーム及び前記第２のサブフレームを含み、
前記通信モジュールが、各送信期間の前記第１のサブフレームにおいて前記第２のユーザ装置と直接通信を実行するように具体的に構成され、
前記送信モジュールが、前記第１のユーザ装置と前記第２のユーザ装置との間で実行された直接通信の前記チャネル状態情報を少なくとも１つの送信期間の前記第２のサブフレームにおいて前記第３の装置に送信するように具体的に構成され、
前記送信モジュールが、当該ユーザ装置と前記第２のユーザ装置との間で実行された直接通信の通信状態情報を少なくとも１つの送信期間の前記第２のサブフレームにおいて前記第３の装置に送信するように更に具体的に構成される、請求項１８から請求項２３のいずれか一項に記載のユーザ装置。
【請求項２５】
前記送信モジュールが前記チャネル状態情報を前記第２のサブフレームにおいて前記第３の装置に送信する期間が、前記送信モジュールが前記通信状態情報を前記第２のサブフレームにおいて前記第３の装置に送信する期間より短い、請求項２４に記載のユーザ装置。
【請求項２６】
前記第２のサブフレームが前記第１のサブフレームの一部分であるか、又は、前記第２のサブフレームが前記第１のサブフレームと重複しない、請求項１８から請求項２５のいずれか一項に記載のユーザ装置。
【請求項２７】
直接通信を行う装置であって、
第１のユーザ装置又は第２のユーザ装置により第２のサブフレームにおいて送信されるチャネル状態情報であって、前記第１のユーザ装置と前記第２のユーザ装置との間で実行された直接通信の前記チャネル状態情報を受信するように構成される受信モジュールと、
前記チャネル状態情報に従って前記第１のユーザ装置又は前記第２のユーザ装置にリソーススケジューリング情報を送信するように構成される処理モジュールとを備える、装置。
【請求項２８】
前記受信モジュールが、前記第１のユーザ装置又は前記第２のユーザ装置により前記第２のサブフレームにおいて送信される通信状態情報であって、前記第１のユーザ装置と前記第２のユーザ装置との間で実行された直接通信の前記通信状態情報を受信するように更に構成され、
前記処理モジュールが、前記通信状態情報に従って課金を行うか又はリンクを解放するように更に構成される、請求項２７に記載の装置。
【請求項２９】
前記第１のユーザ装置と前記第２のユーザ装置との間で実行された直接通信の前記チャネル状態情報が、直接通信を実行するために前記第１のユーザ装置及び前記第２のユーザ装置に割り当てられたリソースのチャネル状態情報、直接通信を実行するために前記第１のユーザ装置及び前記第２のユーザ装置に割り当てられなかったリソースのチャネル状態情報、及びシステムの帯域幅範囲の中のリソースのチャネル状態情報のうちの少なくとも１つを含む、請求項２７又は請求項２８に記載の装置。
【請求項３０】
前記第１のユーザ装置と前記第２のユーザ装置との間で実行された直接通信の前記通信状態情報が、前記第１のユーザ装置と前記第２のユーザ装置との間で実行された直接通信の通信データ量情報、及び前記第１のユーザ装置と前記第２のユーザ装置との間で実行された直接通信の通信解放情報のうちの少なくとも１つを含む、請求項２８又は請求項２９に記載の装置。
【請求項３１】
直接通信を実行するために前記第１のユーザ装置及び前記第２のユーザ装置に割り当てられたリソースの前記チャネル状態情報が、使用されたとともに、直接通信を実行するために前記第１のユーザ装置及び前記第２のユーザ装置に割り当てられたリソース内に存在するリソースのリソース識別子か、又は、使用されなかったとともに、直接通信を実行するために前記第１のユーザ装置及び前記第２のユーザ装置に割り当てられたリソース内に存在するリソースのリソース識別子を含み、
直接通信を実行するために前記第１のユーザ装置及び前記第２のユーザ装置に割り当てられなかったリソースの前記チャネル状態情報が、直接通信を実行するために前記第１のユーザ装置及び前記第２のユーザ装置に割り当てられなかったリソースにおける一部又は全部のリソースのリソース識別子を含むとともに、
システムの帯域幅範囲の中のリソースの前記チャネル状態情報が、システムの帯域幅範囲の中のリソースにおける一部又は全部のリソースのリソース識別子を含む、請求項３０に記載の装置。
【請求項３２】
前記チャネル状態情報及び前記通信状態情報のうちの少なくとも１つを前記第３の装置に送信するように前記第１のユーザ装置又は前記第２のユーザ装置をトリガするために使用されるトリガシグナリングを前記第１のユーザ装置又は前記第２のユーザ装置に送信するように構成される送信モジュールを更に備える、請求項２７から請求項３１のいずれか一項に記載の装置。
【請求項３３】
前記受信モジュールが、前記第１のユーザ装置又は前記第２のユーザ装置により少なくとも１つの送信期間の前記第２のサブフレームにおいて送信される前記チャネル状態情報を受信するとともに、前記第１のユーザ装置又は前記第２のユーザ装置により少なくとも１つの送信期間の前記第２のサブフレームにおいて送信される前記通信状態情報であって、前記第１のユーザ装置と前記第２のユーザ装置との間で実行された直接通信の前記通信状態情報を受信するように具体的に構成される、請求項２７から請求項３２のいずれか一項に記載の装置。
【請求項３４】
前記第２のサブフレームが前記第１のサブフレームの一部分であるか、又は、前記第２のサブフレームが前記第１のサブフレームと重複しない、請求項２７から請求項３３のいずれか一項に記載の装置。
【発明の詳細な説明】
【技術分野】
【０００１】
本発明は、通信技術の分野に関し、具体的には、情報送信方法及び装置に関する。
【背景技術】
【０００２】
デバイスツーデバイス近傍サービス（Device  to  Device  Proximity  Service、略してＤ２Ｄ  ＰｒｏＳｅ）は、第３世代パートナーシッププロジェクト（The  3rd  Generation  Partnership、３ＧＰＰ）におけるロングタームエボリューション（Long  Term  Evolution、ＬＴＥ）システムのＲｅｌ．１２システムの研究課題になった。
【０００３】
従来技術では、ユーザ装置が基地局と通信するシナリオにおいて、ユーザ装置は、チャネルの品質を測定し、そして測定結果を基地局に送信する。基地局は、シグナリングを使用して、ユーザ装置に対して、選択されたリソース、並びに変調及び符号化レベルを送信する。しかしながら、ユーザ装置が直接通信を実行するシナリオでは、基地局がユーザの間の通信の構成及び対話プロセスに参加しないので、基地局は、ユーザ装置の間のチャネルの品質を学習することができない。
【発明の概要】
【０００４】
本発明の実施例は、直接通信のためのリソーススケジューリングを実施するために、情報送信方法及び装置を提供する。
【０００５】
第１の態様によれば、本発明の一実施例は、情報送信方法であって、第１のユーザ装置により、第１のサブフレームにおいて第２のユーザ装置と直接通信を実行するステップと、前記第１のユーザ装置により、前記第１のユーザ装置と前記第２のユーザ装置との間で実行された直接通信のチャネル状態情報を第２のサブフレームにおいて第３の装置に送信するステップと、前記第１のユーザ装置により、前記チャネル状態情報に従って前記第３の装置により送信されるリソーススケジューリング情報を受信するステップとを含む、情報送信方法を提供する。
【０００６】
第１の態様に関連して、第１の態様の第１の可能な実施方法において、前記第１のユーザ装置は、前記第１のユーザ装置と前記第２のユーザ装置との間で実行された直接通信の通信状態情報であって、課金を行うか又はリンクを解放するために使用される前記通信状態情報を前記第２のサブフレームにおいて前記第３の装置に更に送信する。
【０００７】
第１の態様又は第１の可能な実施方法に関連して、第１の態様の第２の可能な実施方法において、前記チャネル状態情報は、直接通信を実行するために前記第１のユーザ装置及び前記第２のユーザ装置に割り当てられたリソースのチャネル状態情報、直接通信を実行するために前記第１のユーザ装置及び前記第２のユーザ装置に割り当てられなかったリソースのチャネル状態情報、及びシステムの帯域幅範囲の中のリソースのチャネル状態情報のうちの少なくとも１つを含む。
【０００８】
第１の態様、第１の可能な実施方法、又は第２の可能な実施方法に関連して、第１の態様の第３の可能な実施方法において、前記第１のユーザ装置と前記第２のユーザ装置との間で実行された直接通信の前記通信状態情報は、前記第１のユーザ装置と前記第２のユーザ装置との間で実行された直接通信の通信データ量情報、及び前記第１のユーザ装置と前記第２のユーザ装置との間で実行された直接通信の通信解放情報のうちの少なくとも１つを含む。
【０００９】
第１の態様、第１の可能な実施方法、第２の可能な実施方法、又は第３の可能な実施方法に関連して、第１の態様の第４の可能な実施方法において、直接通信を実行するために前記第１のユーザ装置及び前記第２のユーザ装置に割り当てられたリソースの前記チャネル状態情報は、使用されたとともに、直接通信を実行するために前記第１のユーザ装置及び前記第２のユーザ装置に割り当てられたリソース内に存在するリソースのリソース識別子か、又は、使用されなかったとともに、直接通信を実行するために前記第１のユーザ装置及び前記第２のユーザ装置に割り当てられたリソース内に存在するリソースのリソース識別子を含み、直接通信を実行するために前記第１のユーザ装置及び前記第２のユーザ装置に割り当てられなかったリソースの前記チャネル状態情報は、直接通信を実行するために前記第１のユーザ装置及び前記第２のユーザ装置に割り当てられなかったリソースにおける一部又は全部のリソースのリソース識別子を含むとともに、システムの帯域幅範囲の中のリソースの前記チャネル状態情報は、システムの帯域幅範囲の中のリソースにおける一部又は全部のリソースのリソース識別子を含む。
【００１０】
第１の態様、第１の可能な実施方法、第２の可能な実施方法、第３の可能な実施方法、又は第４の可能な実施方法に関連して、第１の態様の第５の可能な実施方法において、前記第１のユーザ装置により、前記第１のユーザ装置と前記第２のユーザ装置との間で実行された直接通信のチャネル状態情報を第２のサブフレームにおいて第３の装置に送信する前記ステップの前に、当該方法は、前記第１のユーザ装置により、前記第３の装置により送信され、前記チャネル状態情報及び前記通信状態情報のうちの少なくとも１つを前記第３の装置に送信するように前記第１のユーザ装置をトリガするために使用されるトリガシグナリングを受信するステップを更に含む。
【００１１】
第１の態様、第１の可能な実施方法、第２の可能な実施方法、第３の可能な実施方法、第４の可能な実施方法、又は第５の可能な実施方法に関連して、第１の態様の第６の可能な実施方法において、各送信期間は前記第１のサブフレーム及び前記第２のサブフレームを含み、第１のユーザ装置により、第１のサブフレームにおいて第２のユーザ装置と直接通信を実行する前記ステップは、前記第１のユーザ装置により、各送信期間の前記第１のサブフレームにおいて前記第２のユーザ装置と直接通信を実行するステップを含み、前記第１のユーザ装置により、前記第１のユーザ装置と前記第２のユーザ装置との間で実行された直接通信のチャネル状態情報を第２のサブフレームにおいて第３の装置に送信する前記ステップは、前記第１のユーザ装置により、前記第１のユーザ装置と前記第２のユーザ装置との間で実行された直接通信の前記チャネル状態情報を少なくとも１つの送信期間の前記第２のサブフレームにおいて前記第３の装置に送信するステップを含み、前記第１のユーザ装置により、前記第１のユーザ装置と前記第２のユーザ装置との間で実行された直接通信の通信状態情報を前記第２のサブフレームにおいて前記第３の装置に更に送信する前記ステップは、前記第１のユーザ装置により、前記第１のユーザ装置と前記第２のユーザ装置との間で実行された直接通信の前記通信状態情報を少なくとも１つの送信期間の前記第２のサブフレームにおいて前記第３の装置に更に送信するステップを含む。
【００１２】
第１の態様、第１の可能な実施方法、第２の可能な実施方法、第３の可能な実施方法、第４の可能な実施方法、第５の可能な実施方法、又は第６の可能な実施方法に関連して、第１の態様の第７の可能な実施方法において、前記第１のユーザ装置が前記チャネル状態情報を前記第２のサブフレームにおいて前記第３の装置に送信する期間は、前記第１のユーザ装置が前記通信状態情報を前記第２のサブフレームにおいて前記第３の装置に送信する期間より短い。
【００１３】
第１の態様、第１の可能な実施方法、第２の可能な実施方法、第３の可能な実施方法、第４の可能な実施方法、第５の可能な実施方法、第６の可能な実施方法、又は第７の可能な実施方法に関連して、第１の態様の第８の可能な実施方法において、前記第２のサブフレームは前記第１のサブフレームの一部分であるか、又は、前記第２のサブフレームは前記第１のサブフレームと重複しない。
【００１４】
第２の態様によれば、本発明の一実施例は、情報送信方法であって、第３の装置により、第１のユーザ装置又は第２のユーザ装置により第２のサブフレームにおいて送信されるチャネル状態情報であって、前記第１のユーザ装置と前記第２のユーザ装置との間で実行された直接通信の前記チャネル状態情報を受信するステップと、前記第３の装置により、前記チャネル状態情報に従って前記第１のユーザ装置又は前記第２のユーザ装置にリソーススケジューリング情報を送信するステップとを含む、情報送信方法を提供する。
【００１５】
第２の態様に関連して、第１の可能な実施方法において、当該方法は、前記第３の装置により、前記第１のユーザ装置又は前記第２のユーザ装置により前記第２のサブフレームにおいて送信される通信状態情報であって、前記第１のユーザ装置と前記第２のユーザ装置との間で実行された直接通信の前記通信状態情報を受信するステップと、前記第３の装置により、前記通信状態情報に従って課金を行うか又はリンクを解放するステップとを更に含む。
【００１６】
第２の態様、又は第１の可能な実施方法に関連して、第２の態様の第２の可能な実施方法において、前記第１のユーザ装置と前記第２のユーザ装置との間で実行された直接通信の前記チャネル状態情報は、直接通信を実行するために前記第１のユーザ装置及び前記第２のユーザ装置に割り当てられたリソースのチャネル状態情報、直接通信を実行するために前記第１のユーザ装置及び前記第２のユーザ装置に割り当てられなかったリソースのチャネル状態情報、及びシステムの帯域幅範囲の中のリソースのチャネル状態情報のうちの少なくとも１つを含む。
【００１７】
第２の態様、第１の可能な実施方法、又は第２の可能な実施方法に関連して、第２の態様の第３の可能な実施方法において、前記第１のユーザ装置と前記第２のユーザ装置との間で実行された直接通信の前記通信状態情報は、前記第１のユーザ装置と前記第２のユーザ装置との間で実行された直接通信の通信データ量情報、及び前記第１のユーザ装置と前記第２のユーザ装置との間で実行された直接通信の通信解放情報のうちの少なくとも１つを含む。
【００１８】
第２の態様、第１の可能な実施方法、第２の可能な実施方法、又は第３の可能な実施方法に関連して、第２の態様の第４の可能な実施方法において、直接通信を実行するために前記第１のユーザ装置及び前記第２のユーザ装置に割り当てられたリソースの前記チャネル状態情報は、使用されたとともに、直接通信を実行するために前記第１のユーザ装置及び前記第２のユーザ装置に割り当てられたリソース内に存在するリソースのリソース識別子か、又は、使用されなかったとともに、直接通信を実行するために前記第１のユーザ装置及び前記第２のユーザ装置に割り当てられたリソース内に存在するリソースのリソース識別子を含み、直接通信を実行するために前記第１のユーザ装置及び前記第２のユーザ装置に割り当てられなかったリソースの前記チャネル状態情報は、直接通信を実行するために前記第１のユーザ装置及び前記第２のユーザ装置に割り当てられなかったリソースにおける一部又は全部のリソースのリソース識別子を含むとともに、システムの帯域幅範囲の中のリソースの前記チャネル状態情報は、システムの帯域幅範囲の中のリソースにおける一部又は全部のリソースのリソース識別子を含む。
【００１９】
第２の態様、第１の可能な実施方法、第２の可能な実施方法、第３の可能な実施方法、又は第４の可能な実施方法に関連して、第２の態様の第５の可能な実施方法において、第３の装置により、第１のユーザ装置又は第２のユーザ装置により第２のサブフレームにおいて送信されるチャネル状態情報であって、前記第１のユーザ装置と前記第２のユーザ装置との間で実行された直接通信の前記チャネル状態情報を受信する前記ステップの前に、当該方法は、前記第３の装置により、前記チャネル状態情報及び前記通信状態情報のうちの少なくとも１つを前記第３の装置に送信するように前記第１のユーザ装置又は前記第２のユーザ装置をトリガするために使用されるトリガシグナリングを前記第１のユーザ装置又は前記第２のユーザ装置に送信するステップを更に含む。
【００２０】
第２の態様、第１の可能な実施方法、第２の可能な実施方法、第３の可能な実施方法、第４の可能な実施方法、又は第５の可能な実施方法に関連して、第２の態様の第６の可能な実施方法において、第３の装置により、第１のユーザ装置又は第２のユーザ装置により第２のサブフレームにおいて送信されるチャネル状態情報であって、前記第１のユーザ装置と前記第２のユーザ装置との間で実行された直接通信の前記チャネル状態情報を受信する前記ステップは、前記第３の装置により、前記第１のユーザ装置又は前記第２のユーザ装置により少なくとも１つの送信期間の前記第２のサブフレームにおいて送信される前記チャネル状態情報を受信するステップを含み、前記第３の装置により、前記第１のユーザ装置又は前記第２のユーザ装置により前記第２のサブフレームにおいて送信される通信状態情報であって、前記第１のユーザ装置と前記第２のユーザ装置との間で実行された直接通信の前記通信状態情報を受信する前記ステップは、前記第３の装置により、前記第１のユーザ装置又は前記第２のユーザ装置により少なくとも１つの送信期間の前記第２のサブフレームにおいて送信される前記通信状態情報であって、前記第１のユーザ装置と前記第２のユーザ装置との間で実行された直接通信の前記通信状態情報を受信するステップを含む。
【００２１】
第２の態様、第１の可能な実施方法、第２の可能な実施方法、第３の可能な実施方法、第４の可能な実施方法、第５の可能な実施方法、又は第６の可能な実施方法に関連して、第２の態様の第７の可能な実施方法において、前記第２のサブフレームは前記第１のサブフレームの一部分であるか、又は、前記第２のサブフレームは前記第１のサブフレームと重複しない。
【００２２】
第３の態様によれば、本発明の一実施例は、ユーザ装置であって、当該ユーザ装置が、第１のサブフレームにおいて第２のユーザ装置と直接通信を実行するように構成される通信モジュールと、当該ユーザ装置と前記第２のユーザ装置との間で実行された直接通信のチャネル状態情報を第２のサブフレームにおいて第３の装置に送信するように構成される送信モジュールと、前記チャネル状態情報に従って前記第３の装置により送信されるリソーススケジューリング情報を受信するように構成される受信モジュールとを含む、ユーザ装置を提供する。
【００２３】
第３の態様に関連して、第３の態様の第１の可能な実施方法において、前記送信モジュールは、当該ユーザ装置と前記第２のユーザ装置との間で実行された直接通信の通信状態情報であって、課金を行うか又はリンクを解放するために使用される前記通信状態情報を前記第２のサブフレームにおいて前記第３の装置に送信するように更に構成される。
【００２４】
第３の態様、又は第１の可能な実施方法に関連して、第３の態様の第２の可能な実施方法において、当該ユーザ装置と前記第２のユーザ装置との間で実行された直接通信の前記チャネル状態情報は、直接通信を実行するために当該ユーザ装置及び前記第２のユーザ装置に割り当てられたリソースのチャネル状態情報、直接通信を実行するために当該ユーザ装置及び前記第２のユーザ装置に割り当てられなかったリソースのチャネル状態情報、及びシステムの帯域幅範囲の中のリソースのチャネル状態情報のうちの少なくとも１つを含む。
【００２５】
第３の態様、第１の可能な実施方法、又は第２の可能な実施方法に関連して、第３の態様の第３の可能な実施方法において、当該ユーザ装置と前記第２のユーザ装置との間で実行された直接通信の前記通信状態情報は、当該ユーザ装置と前記第２のユーザ装置との間で実行された直接通信の通信データ量情報、及び当該ユーザ装置と前記第２のユーザ装置との間で実行された直接通信の通信解放情報のうちの少なくとも１つを含む。
【００２６】
第３の態様、そして第１の可能な実施方法、第２の可能な実施方法、又は第３の可能な実施方法に関連して、第３の態様の第４の可能な実施方法において、直接通信を実行するために当該ユーザ装置及び前記第２のユーザ装置に割り当てられたリソースの前記チャネル状態情報は、使用されたとともに、直接通信を実行するために当該ユーザ装置及び前記第２のユーザ装置に割り当てられたリソース内に存在するリソースのリソース識別子か、又は、使用されなかったとともに、直接通信を実行するために当該ユーザ装置及び前記第２のユーザ装置に割り当てられたリソース内に存在するリソースのリソース識別子を含み、直接通信を実行するために当該ユーザ装置及び前記第２のユーザ装置に割り当てられなかったリソースの前記チャネル状態情報は、直接通信を実行するために前記第１のユーザ装置及び前記第２のユーザ装置に割り当てられなかったリソースにおける一部又は全部のリソースのリソース識別子を含むとともに、システムの帯域幅範囲の中のリソースの前記チャネル状態情報は、システムの帯域幅範囲の中のリソースにおける一部又は全部のリソースのリソース識別子を含む。
【００２７】
第３の態様、第１の可能な実施方法、第２の可能な実施方法、第３の可能な実施方法、又は第４の可能な実施方法に関連して、第３の態様の第５の可能な実施方法において、前記受信モジュールは、前記第３の装置により送信され、前記チャネル状態情報及び前記通信状態情報のうちの少なくとも１つを前記第３の装置に送信するように当該ユーザ装置をトリガするために使用されるトリガシグナリングを受信するように更に構成される。
【００２８】
第３の態様、第１の可能な実施方法、第２の可能な実施方法、第３の可能な実施方法、第４の可能な実施方法、又は第５の可能な実施方法に関連して、第３の態様の第６の可能な実施方法において、各送信期間は前記第１のサブフレーム及び前記第２のサブフレームを含み、前記通信モジュールは、各送信期間の前記第１のサブフレームにおいて前記第２のユーザ装置と直接通信を実行するように具体的に構成され、前記送信モジュールは、前記第１のユーザ装置と前記第２のユーザ装置との間で実行された直接通信の前記チャネル状態情報を少なくとも１つの送信期間の前記第２のサブフレームにおいて前記第３の装置に送信するように具体的に構成され、前記送信モジュールは、当該ユーザ装置と前記第２のユーザ装置との間で実行された直接通信の通信状態情報を少なくとも１つの送信期間の前記第２のサブフレームにおいて前記第３の装置に送信するように更に具体的に構成される。
【００２９】
第３の態様、第１の可能な実施方法、第２の可能な実施方法、第３の可能な実施方法、第４の可能な実施方法、第５の可能な実施方法、又は第６の可能な実施方法に関連して、第３の態様の第７の可能な実施方法において、前記送信モジュールが前記チャネル状態情報を前記第２のサブフレームにおいて前記第３の装置に送信する期間は、前記送信モジュールが前記通信状態情報を前記第２のサブフレームにおいて前記第３の装置に送信する期間より短い。
【００３０】
第３の態様、第１の可能な実施方法、第２の可能な実施方法、第３の可能な実施方法、第４の可能な実施方法、第５の可能な実施方法、第６の可能な実施方法、又は第７の可能な実施方法に関連して、第３の態様の第８の可能な実施方法において、前記第２のサブフレームは前記第１のサブフレームの一部分であるか、又は、前記第２のサブフレームは前記第１のサブフレームと重複しない。
【００３１】
第４の態様によれば、本発明の一実施例は、ユーザ間の直接通信を行う情報送信装置であって、第１のユーザ装置又は第２のユーザ装置により第２のサブフレームにおいて送信されるチャネル状態情報であって、前記第１のユーザ装置と前記第２のユーザ装置との間で実行された直接通信の前記チャネル状態情報を受信するように構成される受信モジュールと、前記チャネル状態情報に従って前記第１のユーザ装置又は前記第２のユーザ装置にリソーススケジューリング情報を送信するように構成される処理モジュールとを含む、情報送信装置を提供する。
【００３２】
第４の態様に関連して、第４の態様の第１の可能な実施方法において、前記受信モジュールは、前記第１のユーザ装置又は前記第２のユーザ装置により前記第２のサブフレームにおいて送信される通信状態情報であって、前記第１のユーザ装置と前記第２のユーザ装置との間で実行された直接通信の前記通信状態情報を受信するように更に構成され、前記プロセッサモジュールは、前記通信状態情報に従って課金を行うか又はリンクを解放するように更に構成される。
【００３３】
第４の態様、又は第１の可能な実施方法に関連して、第４の態様の第２の可能な実施方法において、前記第１のユーザ装置と前記第２のユーザ装置との間で実行された直接通信の前記チャネル状態情報は、直接通信を実行するために前記第１のユーザ装置及び前記第２のユーザ装置に割り当てられたリソースのチャネル状態情報、直接通信を実行するために前記第１のユーザ装置及び前記第２のユーザ装置に割り当てられなかったリソースのチャネル状態情報、及びシステムの帯域幅範囲の中のリソースのチャネル状態情報のうちの少なくとも１つを含む。
【００３４】
第４の態様、第１の可能な実施方法、又は第２の可能な実施方法に関連して、第４の態様の第３の可能な実施方法において、前記第１のユーザ装置と前記第２のユーザ装置との間で実行された直接通信の前記通信状態情報は、前記第１のユーザ装置と前記第２のユーザ装置との間で実行された直接通信の通信データ量情報、及び前記第１のユーザ装置と前記第２のユーザ装置との間で実行された直接通信の通信解放情報のうちの少なくとも１つを含む。
【００３５】
第４の態様、第１の可能な実施方法、第２の可能な実施方法、又は第３の可能な実施方法に関連して、第４の態様の第４の可能な実施方法において、直接通信を実行するために前記第１のユーザ装置及び前記第２のユーザ装置に割り当てられたリソースの前記チャネル状態情報は、使用されたとともに、直接通信を実行するために前記第１のユーザ装置及び前記第２のユーザ装置に割り当てられたリソース内に存在するリソースのリソース識別子か、又は、使用されなかったとともに、直接通信を実行するために前記第１のユーザ装置及び前記第２のユーザ装置に割り当てられたリソース内に存在するリソースのリソース識別子を含み、直接通信を実行するために前記第１のユーザ装置及び前記第２のユーザ装置に割り当てられなかったリソースの前記チャネル状態情報は、直接通信を実行するために前記第１のユーザ装置及び前記第２のユーザ装置に割り当てられなかったリソースにおける一部又は全部のリソースのリソース識別子を含むとともに、システムの帯域幅範囲の中のリソースの前記チャネル状態情報が、システムの帯域幅範囲の中のリソースにおける一部又は全部のリソースのリソース識別子を含む。
【００３６】
第４の態様、第１の可能な実施方法、第２の可能な実施方法、第３の可能な実施方法、又は第３の可能な実施方法に関連して、第４の態様の第４の可能な実施方法において、当該装置は、前記チャネル状態情報又は前記通信状態情報のうちの少なくとも１つを前記第３の装置に送信するように前記第１のユーザ装置又は前記第２のユーザ装置をトリガするために使用されるトリガシグナリングを前記第１のユーザ装置又は前記第２のユーザ装置に送信するように構成される送信モジュールを更に含む。
【００３７】
第４の態様、第１の可能な実施方法、第２の可能な実施方法、第３の可能な実施方法、第４の可能な実施方法、又は第５の可能な実施方法に関連して、第４の態様の第６の可能な実施方法において、前記受信モジュールは、前記第１のユーザ装置又は前記第２のユーザ装置により少なくとも１つの送信期間の前記第２のサブフレームにおいて送信される前記チャネル状態情報を受信するとともに、前記第１のユーザ装置又は前記第２のユーザ装置により少なくとも１つの送信期間の前記第２のサブフレームにおいて送信される前記通信状態情報であって、前記第１のユーザ装置と前記第２のユーザ装置との間で実行された直接通信の前記通信状態情報を受信するように具体的に構成される。
【００３８】
第４の態様、第１の可能な実施方法、第２の可能な実施方法、第３の可能な実施方法、第４の可能な実施方法、第５の可能な実施方法、又は第６の可能な実施方法に関連して、第４の態様の第７の可能な実施方法において、前記第２のサブフレームは前記第１のサブフレームの一部分であるか、又は、前記第２のサブフレームは前記第１のサブフレームと重複しない。
【００３９】
本発明の実施例において提供される情報送信方法及び装置では、第１のサブフレームにおいてユーザ装置の間で直接通信が実行されるとともに、ユーザ装置の間で実行された直接通信のチャネル状態情報が第２のサブフレームにおいて第３の装置に対して送信され、したがって、第３の装置は、ユーザ装置の間のチャネル状態情報を学習することができるとともに、直接通信を実行するユーザ装置に関してリソーススケジューリングを更に実行することができる。
【００４０】
本発明の実施例におけるか又は従来技術における技術的解決法をより明確に説明するために、下記は、実施例を説明するために必要とされる添付図面を簡単に説明する。明らかに、下記の説明における添付図面は本発明のいくつかの実施例を表すとともに、当業者は、創造的な努力なしでこれらの添付図面からさらに他の図面を導き出し得る。
【図面の簡単な説明】
【００４１】
【図１】本発明による情報送信方法の一実施例のフローチャートである。
【図２】本発明の一実施例による、第１ユーザ装置及び第２のユーザ装置により直接通信を実行するために使用されたシステムの帯域幅範囲の中のリソース、又は使用されなかったシステムの帯域幅範囲の中のリソースの概略図である。
【図３】本発明による情報送信方法の別の実施例のフローチャートである。
【図４】本発明の一実施例による直接通信のために使用されるサブフレームの第１の概略図である。
【図５】本発明の一実施例による直接通信のために使用されるサブフレームの第２の概略図である。
【図６】本発明によるユーザ装置の一実施例の概略構造図である。
【図７】本発明による直接通信を行う装置の一実施例の概略構造図である。
【図８】本発明によるユーザ装置の別の実施例の概略構造図である。
【図９】本発明による直接通信を行う装置の別の実施例の概略構造図である。
【発明を実施するための形態】
【００４２】
本発明の実施例の目的、技術的解決法、及び利点をより明確にするために、下記は、本発明の実施例における添付図面を参照して本発明の実施例における技術的解決法を明確かつ十分に説明する。明らかに、説明される実施例は本発明の実施例の全てではなく一部である。創作的な努力なしで本発明の実施例に基づいて当業者により獲得される他の全ての実施例は、本発明の保護範囲に含まれるものとする。
【００４３】
この明細書で説明された技術は、様々な通信システム、例えば、現在の２Ｇ及び３Ｇ通信システム、並びに、次世代通信システム、例えば、グローバルシステムフォーモバイルコミュニケーションズ（ＧＳＭ、Global  System  for  Mobile  communications）、符号分割多元接続（ＣＤＭＡ、Code  Division  Multiple  Access）システム、時分割多元接続（ＴＤＭＡ、Time  Division  Multiple  Access）システム、広帯域符号分割多元接続（ＷＣＤＭＡ、Wideband  Code  Division  Multiple  Access  Wireless）、周波数分割多元接続（ＦＤＭＡ、Frequency  Division  Multiple  Addressing）システム、直交周波数分割多元接続（ＯＦＤＭＡ、Orthogonal  Frequency-Division  Multiple  Access）システム、シングルキャリアＦＤＭＡ（ＳＣ−ＦＤＭＡ）システム、汎用パケット無線システム（ＧＰＲＳ、General  Packet  Radio  Service）システム、ロングタームエボリューション（ＬＴＥ、Long  Term  Evolution）システム、及び他の通信システムに適用され得る。
【００４４】
この出願における端末、すなわち、ユーザ機器は、無線端末又は有線端末であり得る。無線端末は、ユーザに音声及び／又はデータ接続性を提供する装置、無線通信接続機能を有する携帯用装置、又は無線通信モデムに接続される別の処理装置のことを指し得る。無線端末は、無線アクセスネットワーク（例えば、ＲＡＮ、Radio  Access  Networkなど）を通して１つ又は複数のコアネットワークと通信し得る。無線端末は、携帯電話（同様に“セルラ”電話と呼ばれる）のような携帯端末であり得るとともに、携帯端末を有するコンピュータは、例えば、ポータブル型装置、ポケット型装置、ハンドヘルド装置、コンピュータ内蔵型装置、又は車載用携帯装置であるかもしれず、それは無線アクセスネットワークと音声及び／又はデータを交換する。例えば、それは、パーソナル通信サービス（ＰＣＳ、Personal  Communication  Service）電話、コードレス電話機、セッション開始プロトコル（ＳＩＰ）電話、ワイヤレスローカルループ（ＷＬＬ、Wireless  Local  Loop）ステーション、又は携帯情報端末（ＰＤＡ、Personal  Digital  Assistant）のような装置であり得る。無線端末は、同様に、システム、加入者ユニット（Subscriber  Unit）、加入者ステーション（Subscriber  Station）、移動局（Mobile  Station）、移動端末（Mobile）、リモートステーション（Remote  Station）、アクセスポイント（Access  Point）、リモート端末（Remote  Terminal）、アクセス端末（Access  Terminal）、ユーザ端末（User  Terminal）、ユーザエージェント（User  Agent）、ユーザ装置（User  Device）、又はユーザ機器（User  Equipment）と呼ばれ得る。
【００４５】
この明細書における基地局（例えば、アクセスポイント）は、１つ又は複数のセクションを使用することによりアクセスネットワークにおける無線インタフェース上でユーザ機器と通信する装置であり得る。基地局は、受信される無線フレームとＩＰパケットを相互に変換するとともに、ユーザ機器とアクセスネットワークの残り部分との間のルータとしての機能を果たすように構成されることができ、ここで、アクセスネットワークの残り部分は、インターネットプロトコル（ＩＰ）ネットワークを含み得る。基地局は、同様に、無線インタフェースの属性管理を統合し得る。例えば、基地局は、ＧＳＭ又はＣＤＭＡにおける基地局（ＢＴＳ、Base  Transceiver  Station）であるかもしれず、同様に、ＷＣＤＭＡにおける基地局（ＮｏｄｅＢ）であるかもしれず、そして、さらにＬＴＥにおける進化型ＮｏｄｅＢ（ＮｏｄｅＢ、ｅＮＢ、又はｅ−ＮｏｄｅＢ、evolutional  Node  B）であるかもしれず、それは本発明では限定されない。
【００４６】
さらに、用語“システム”及び“ネットワーク”は、この明細書において互換的に使用され得る。この明細書における用語“及び／又は”は、関連するオブジェクトを説明するために対応関係のみを説明するとともに、３つの関係が存在し得ることを表す。例えば、Ａ及び／又はＢは、下記の３つの場合、Ａのみが存在する、ＡとＢの両方が存在する、そしてＢのみが存在する、を表し得る。さらに、この明細書における記号“／”は、一般に、記号の前後の関連するオブジェクトが“又は”の関係にある、ということを示す。
【００４７】
図１は、本発明による情報送信方法の一実施例のフローチャートである。図１において示されたように、方法は下記を含む。
【００４８】
Ｓ１０１：第１のユーザ装置が、第１のサブフレームにおいて第２のユーザ装置と直接通信を実行する。
【００４９】
Ｓ１０２：第１のユーザ装置が、第１のユーザ装置と第２のユーザ装置との間で実行された直接通信のチャネル状態情報を第２のサブフレームにおいて第３の装置に送信する。
【００５０】
Ｓ１０３：第１のユーザ装置が、第３の装置により送信されるリソーススケジューリング情報を受信する。
【００５１】
リソーススケジューリング情報は、第１のユーザ装置と第２のユーザ装置との間の直接通信のためのリソーススケジューリングを実行するために使用される。
【００５２】
第１のユーザ装置、この実施例の前述のステップの実行主要部は、直接通信を実行する２つのユーザ装置におけるいずれかのユーザ装置であり得る。
【００５３】
任意に、第１のユーザ装置は、第１のユーザ装置と第２のユーザ装置との間で実行された直接通信の通信状態情報を第２のサブフレームにおいて第３の装置に更に送信し、したがって、第３の装置は、通信状態情報に従って、課金を行うか又はリンクを解放する。
【００５４】
すなわち、直接通信を実行する２つのユーザ装置のうちのいずれかの装置は、第１のユーザ装置と第２のユーザ装置との間で実行された直接通信のチャネル状態情報を第３の装置に送信し得るとともに、通信状態情報を第３の装置に更に報告し得る。
【００５５】
本発明のこの実施例に関与する第３の装置は、基地局であり得るか、同様にユーザ装置であり得るか、又は同様に第１のユーザ装置及び第２のユーザ装置を除く別のタイプの装置であり得る。
【００５６】
任意に、第１のユーザ装置は、第１のユーザ装置と第２のユーザ装置との間で実行された直接通信のチャネル状態情報を第３の装置に定期的に送信し得るか、又は第１のユーザ装置と第２のユーザ装置との間で実行された直接通信の通信状態情報を第３の装置に定期的に送信し得る。その代りに、送信動作は、第３の装置によりトリガされたあとで同様に実行され得る。通信状態情報は、第１のユーザ装置と第２のユーザ装置との間で実行された直接通信の通信データ量情報、及び第１のユーザ装置と第２のユーザ装置との間で実行された直接通信の通信解放情報のうちの少なくとも１つを含む。
【００５７】
第１のユーザ装置は、直接通信から抜けた状態で第３の装置にチャネル状態情報を送信し得るとともに、同様に、直接通信から抜けた状態で第３の装置に通信状態情報を同じく送信し得る、ということに注意が必要である。この実施シナリオにおいて、第２のサブフレームは、第１のサブフレームと重複しない。
【００５８】
その代りに、第１のユーザ装置は、直接通信から抜けない状態で第３の装置にチャネル状態情報を送信し得るとともに、直接通信から抜けない状態で第３の装置に通信状態情報を同じく送信し得る。この実施シナリオにおいて、第２のサブフレームは第１のサブフレームの一部分であり、すなわち、ユーザ装置は、第２のサブフレームにおいて直接通信を実行するばかりでなく、第２のサブフレームにおいて送信動作も実行する。
【００５９】
チャネル状態情報は、第１のユーザ装置と第２のユーザ装置との間で実行された直接通信に関連しているチャネルのチャネル品質情報（Channel  quality  information、ＣＱＩ）を含み得る。通信状態情報は、通信データ量情報、及び通信解放情報のうちの少なくとも１つを含み得る。
【００６０】
任意に、チャネル状態情報は、直接通信を実行するために第１のユーザ装置及び第２のユーザ装置に割り当てられたリソースのチャネル状態情報、直接通信を実行するために第１のユーザ装置及び第２のユーザ装置に割り当てられなかったリソースのチャネル状態情報、及びシステムの帯域幅範囲の中のリソースのチャネル状態情報のうちの少なくとも１つを含み得る。
【００６１】
直接通信を実行するために第１のユーザ装置及び第２のユーザ装置に割り当てられたリソースのチャネル状態情報は、リソース識別子を含むとともに、具体的には、使用されたとともに、直接通信を実行するために第１のユーザ装置及び第２のユーザ装置に割り当てられたリソース内に存在するリソースのリソース識別子か、又は、使用されなかったとともに、直接通信を実行するために第１のユーザ装置及び第２のユーザ装置に割り当てられたリソース内に存在するリソースのリソース識別子を含み得る。第１ユーザ装置及び第２のユーザ装置により直接通信を実行するために使用されたシステムの帯域幅範囲の中のリソース、及び使用されなかったシステムの帯域幅範囲の中のリソースは、図２において示され得る。
【００６２】
同様に、直接通信を実行するために第１のユーザ装置及び第２のユーザ装置に割り当てられなかったリソースのチャネル状態情報は、リソース識別子を同じく含み得るとともに、具体的には、直接通信を実行するために第１のユーザ装置及び第２のユーザ装置に割り当てられなかったリソースにおける一部又は全部のリソースのリソース識別子を含み得る。
【００６３】
同様に、システムの帯域幅範囲の中のリソースのチャネル状態情報は、リソース識別子を同じく含み得るとともに、具体的には、システムの帯域幅範囲の中のリソースにおける一部又は全部のリソースのリソース識別子を含み得る。
【００６４】
チャネル状態情報は、直接通信を実行するためにユーザ装置に割り当てられたリソースのチャネル品質が悪く、リソースが解放されるかもしれない、ことを示すために使用され得る。チャネル状態情報は、直接通信を実行するためにユーザ装置に割り当てられたリソースにおける残っているリソースが解放され得るように、使用されたとともに、直接通信を実行するためにユーザ装置に割り当てられたリソース内に存在するリソースを示すために同様に使用され得る。チャネル状態情報は、直接通信を実行するためにユーザ装置に割り当てられなかったリソース内の直接通信のために使用され得るリソースを示すために同様に使用され得る。
【００６５】
下記は、説明のために特定の実例を使用する。システムの帯域幅は２０ＭＨｚであり、そしてシステムの帯域幅範囲の中で、利用可能な物理リソースブロックペア（Physical  Resource  Block  Pair、ＰＲＢ  Ｐａｉｒ）の数量は１００個であると、仮定されている。ＰＲＢ  Ｐａｉｒ１１＃からＰＲＢ  Ｐａｉｒ２０＃までの２０個のＰＲＢ  Ｐａｉｒは、直接通信を実行するために第１のユーザ装置及び第２のユーザ装置に割り当てられた。チャネルのマルチパス効果は、チャネル周波数領域の選択性フェージングをもたらすので、直接通信を実行するためにユーザ装置に割り当てられた２０個のＰＲＢ  Ｐａｉｒにおけるチャネル品質情報ＣＱＩは、異なるかもしれない。例えば、ＰＲＢ  Ｐａｉｒ１１＃からＰＲＢ  Ｐａｉｒ１５＃までの変調及び符号化方法（Modulation  and  Coding  Scheme、ＭＣＳ）レベル（level）は１２であり、そしてＰＲＢ  Ｐａｉｒ１６＃からＰＲＢ  Ｐａｉｒ２０＃までのＭＣＳ  Ｌｅｖｅｌは６である。ＰＲＢ  Ｐａｉｒ１６＃からＰＲＢ  Ｐａｉｒ２０＃までのＰＲＢ  Ｐａｉｒのチャネル品質が悪く、ＰＲＢ  Ｐａｉｒが正常なデータ通信をサポートすることができない、という可能性がある。この実施シナリオにおいて、第１のユーザ装置は、チャネル状態情報を第３の装置に送信することができ、ここで、チャネル状態情報は、ＰＲＢ  Ｐａｉｒ１６＃からＰＲＢ  Ｐａｉｒ２０＃までのＰＲＢ  Ｐａｉｒのリソース識別子を含むとともに、直接通信を実行するためにユーザ装置に割り当てられたリソースのチャネル品質が悪く、それらのリソースが解放されるかもしれず、そして第１のユーザ装置と第２のユーザ装置との間の直接通信のために使用されない、ということを示すために使用される。この実施シナリオにおいて、第１のユーザ装置は、同様に、チャネル状態情報を第３の装置に送信することができ、ここで、チャネル状態情報は、ＰＲＢ  Ｐａｉｒ１１＃からＰＲＢ  Ｐａｉｒ１５＃までのＰＲＢ  Ｐａｉｒのリソース識別子を含むとともに、直接通信を実行するためにユーザ装置に割り当てられたリソース（ＰＲＢ  Ｐａｉｒ１１＃からＰＲＢ  Ｐａｉｒ２０＃までの２０個のＰＲＢ  Ｐａｉｒ）では、識別子により示されたリソースのみが使用され、残っているリソース（ＰＲＢ  Ｐａｉｒ１６＃からＰＲＢ  Ｐａｉｒ２０＃までのリソース）が解放されるかもしれず、そして第１のユーザ装置と第２のユーザ装置との間の直接通信のために使用されない、ということを示すために使用される。チャネル状態情報は、リソース（'scheduled'  resources）の再割り当て（re-allocation）要求を使用することにより第３の装置に送信され得る。
【００６６】
システムの帯域幅範囲の中の１００個のＰＲＢ  Ｐａｉｒに関して、ＰＲＢ  Ｐａｉｒ１１＃からＰＲＢ  Ｐａｉｒ２０＃までの２０個のＰＲＢ  Ｐａｉｒを除く８０個のＰＲＢ  Ｐａｉｒは、割り当てられなかったリソースである。第１のユーザ装置及び第２のユーザ装置がこれらのリソース上で直接通信を実行しないので、チャネル品質情報（ＣＱＩ）は直接獲得されることができない。しかしながら、第１のユーザ装置及び第２のユーザ装置は、これらのリソースの干渉レベルを測定し、直接通信の代替リソースとして低い干渉レベルのリソースを使用するとともに、現在低い干渉レベルを有するリソースを第３の装置に示すために、これらのリソースを第３の装置に送信することができ、ここで、これらのリソースは、直接通信のためのリソースとして使用され得る。チャネル状態情報は、リソース（'non-scheduled'  resources）の割り当て提案（suggestion）を使用することにより第３の装置に送信され得る。
【００６７】
第１のユーザ装置は、直接通信において使用されているリソース、及び使用されることが示唆されるリソースを、第３の装置に更に送信し得る。例えば、特定の実例において、ＰＲＢ  Ｐａｉｒ１１＃からＰＲＢ  Ｐａｉｒ２０＃までの２０個のＰＲＢ  Ｐａｉｒは、直接通信を実行するために第１のユーザ装置及び第２のユーザ装置に割り当てられたとともに、ここで、直接通信を実行するために第１のユーザ装置及び第２のユーザ装置により使用されるリソースは、ＰＲＢ  Ｐａｉｒ１１＃からＰＲＢ  Ｐａｉｒ１５＃までのリソースであり、ＰＲＢ  Ｐａｉｒ２１＃からＰＲＢ  Ｐａｉｒ２５＃までのリソースの干渉レベルが小さいので、それらのリソースは、直接通信を実行するために第１のユーザ装置及び第２のユーザ装置により使用されるかもしれない。したがって、この実施シナリオにおいて、第１のユーザ装置は、同様に、チャネル状態情報を第３の装置に送信することができ、ここで、チャネル状態情報は、ＰＲＢ  Ｐａｉｒ１１＃からＰＲＢ  Ｐａｉｒ１５＃までのＰＲＢ  Ｐａｉｒのリソース識別子、及びＲＢ  Ｐａｉｒ２１＃からＰＲＢ  Ｐａｉｒ２５＃までのＰＲＢ  Ｐａｉｒのリソース識別子を含むとともに、直接通信を実行するためにユーザ装置に割り当てられたリソース（ＰＲＢ  Ｐａｉｒ１１＃からＰＲＢ  Ｐａｉｒ２０＃までの２０個のＰＲＢ  Ｐａｉｒ）においてＰＲＢ  Ｐａｉｒ１１＃からＰＲＢ  Ｐａｉｒ１５＃までのリソースのリソースのみが使用され、残っているリソース（ＰＲＢ  Ｐａｉｒ１６＃からＰＲＢ  Ｐａｉｒ２０＃までのリソース）は解放されるかもしれず、そして第１のユーザ装置と第２のユーザ装置との間の直接通信のために使用されないことを示すために使用され、第１のユーザ装置と第２のユーザ装置との間で直接通信を実行するためにＲＢ  Ｐａｉｒ２１＃からＰＲＢ  Ｐａｉｒ２５＃までのリソースを使用することが示唆される。
【００６８】
第１のユーザ装置と第２のユーザ装置との間で実行された直接通信のチャネル状態情報を第３の装置に送信したあとで、第１のユーザ装置は、第３の装置により送信されるリソーススケジューリング情報を受信する。リソーススケジューリング情報は、第１のユーザ装置と第２のユーザ装置との間の直接通信のためのリソーススケジューリングを実行するために使用される。
【００６９】
この実施例において提供される情報送信方法では、第１のサブフレームにおいてユーザ装置の間で直接通信が実行されるとともに、ユーザ装置の間で実行されたチャネル状態情報直接通信が第２のサブフレームにおいて第３の装置に対して送信され、したがって、第３の装置は、ユーザ装置の間のチャネル状態情報を学習することができるとともに、直接通信を実行するユーザ装置に関してリソーススケジューリングを更に実行することができる。
【００７０】
図３は、本発明による情報送信方法の別の実施例のフローチャートである。図３において示されたように、方法は下記を含む。
【００７１】
Ｓ３０１：第３の装置が、第１のユーザ装置又は第２のユーザ装置により第２のサブフレームにおいて送信されるチャネル状態情報であって、第１のユーザ装置と第２のユーザ装置との間で実行された直接通信のチャネル状態情報を受信する。
【００７２】
Ｓ３０２：第３の装置が、チャネル状態情報に従って第１のユーザ装置又は第２のユーザ装置にリソーススケジューリング情報を送信する。
【００７３】
リソーススケジューリング情報は、第１のユーザ装置と第２のユーザ装置との間の直接通信のためのリソーススケジューリングを実行するために使用される。
【００７４】
第３の装置、前述の装置の実行主要部は、基地局であり得るか、同様にユーザ装置であり得るか、又は同様に第１のユーザ装置及び第２のユーザ装置を除く別のタイプの装置であり得る。
【００７５】
任意に、第３の装置は、第１のユーザ装置又は第２のユーザ装置により第２のサブフレームにおいて送信される通信状態情報であって、第１のユーザ装置と第２のユーザ装置との間で実行された直接通信の通信状態情報を更に受信し得るとともに、対応して、第３の装置は、通信状態情報に従って課金を行い得るか又はリンクを解放し得る。
【００７６】
直接通信を行ういずれかの装置は、チャネル状態情報を第３の装置に送信し得るか、又は通信状態情報を第３の装置に同様に送信し得る。第３の装置が第２のサブフレームにおいて第１のユーザ装置又は第２のユーザ装置により送信されるチャネル状態情報を受信したあとで、任意に、第３の装置は、チャネル状態情報に従って、第１のユーザ装置と第２のユーザ装置との間の通信のためのリソーススケジューリンを実行し得るとともに、第３の装置が通信状態情報を受信したあとで、第３の装置は、同様に、通信状態情報に従って、第１のユーザ装置及び／又は第２のユーザ装置に対して課金を実行し得る。
【００７７】
この実施例におけるチャネル状態情報及び通信状態情報の具体的な説明については、図１及び図２において示された実施例における関連した説明に対して参照が行われるとともに、それは再度ここでは説明されない。しかしながら、第３の装置が受信される異なるチャネル状態情報に従って対応する下記の動作を実行し得る、ということに注意が必要である。
【００７８】
例えば、第１のユーザ装置又は第２のユーザ装置により送信されるとともに、第３の装置により受信されるチャネル状態情報は、使用されたとともに、直接通信を実行するために第１のユーザ装置及び第２のユーザ装置に割り当てられたリソース内に存在するリソースのリソース識別子か、又は、使用されなかったとともに、直接通信を実行するために第１のユーザ装置及び第２のユーザ装置に割り当てられたリソース内に存在するリソースのリソース識別子を含む。第３の装置は、直接通信を実行するために第１のユーザ装置及び第２のユーザ装置により使用されているリソースを学習し得る。
【００７９】
別の実例に関して、第１のユーザ装置又は第２のユーザ装置により送信されるとともに、第３の装置により受信されるチャネル状態情報は、直接通信を実行するために第１のユーザ装置及び第２のユーザ装置に割り当てられなかったリソースにおける一部又は全部のリソースのリソース識別子を含む。第３の装置は、直接通信を実行するために第１のユーザ装置及び第２のユーザ装置により要求されているリソースを学習し得る。
【００８０】
別の実例に関して、第１のユーザ装置又は第２のユーザ装置により送信されるとともに、第３の装置により受信されるチャネル状態情報は、システムの帯域幅範囲の中のリソースにおける一部又は全部のリソースのリソース識別子を含む。第３の装置は、受信される物理的識別子を直接通信に割り当てられた物理的識別子と比較し得る。受信される物理的識別子と直接通信の物理的識別子との重複している部分が、直接通信に使用されているリソースであり、そして重複しない部分は、直接通信により新たに要求されたリソースである。
【００８１】
この実施例において提供される情報送信方法では、第１のサブフレームにおいてユーザ装置の間で直接通信が実行されるとともに、第３の装置は、第２のサブフレームにおいて、第１のユーザ装置又は第２のユーザ装置により送信されるチャネル状態情報であって、ユーザ装置の間で実行された直接通信のチャネル状態情報を受信し、したがって、第３の装置は、ユーザ装置の間のチャネル状態情報を学習することができるとともに、直接通信を実行するユーザ装置に関してリソーススケジューリングを更に実行することができる。
【００８２】
図１から図３に示された実施例に基づくと、情報送信方法の別の実施例では、第２のサブフレームにおいて、第１のユーザ装置又は第２のユーザ装置により送信されるチャネル状態情報であって、ユーザ装置の間で実行された直接通信のチャネル状態情報を受信することの前に、第３の装置は、トリガ方法において、チャネル状態情報を送信するように第１のユーザ装置又は第２のユーザ装置をトリガし得る。
【００８３】
具体的には、第３の装置は、第１のユーザ装置及び第２のユーザ装置のうちの１つ、又は第１のユーザ装置及び第２のユーザ装置の両方にトリガシグナリングを送信することができ、ここで、トリガシグナリングは、チャネル状態情報を第３の装置に送信するように第１のユーザ装置又は第２のユーザ装置をトリガするために使用される。任意に、トリガシグナリングは、装置指示識別子を伝送することができ、ここで、装置指示識別子は、チャネル状態情報を第３の装置に送信するように第１のユーザ装置又は第２のユーザ装置を指示するために使用される。すなわち、第３の装置は、識別子を使用することにより、直接通信を行ういずれかのユーザ装置に、直接通信のチャネル状態情報を送信するように指示し得る。
【００８４】
直接通信を行う２つのユーザ装置の両方が、第３の装置により送信されるトリガシグナリングを受信することができ、トリガシグナリングにおいて伝送される装置指示識別子を使用することにより、第１のユーザ装置は、チャネル状態情報を送信するように指示される装置が第１のユーザ装置それ自身であるかどうかを判定することができるとともに、第２のユーザ装置は、チャネル状態情報を送信するように指示される装置が第２のユーザ装置それ自身であるかどうかを判定することができ、もしチャネル状態情報を送信するように指示される装置が第１のユーザ装置又は第２のユーザ装置であるならば、ユーザ装置は送信動作を実行する、ということに注意が必要である。
【００８５】
図１から図３に示された実施例に基づくと、第１のユーザ装置及び／又は第２のユーザ装置は、直接通信のチャネル状態情報を第３の装置に定期的に送信し得る。
【００８６】
任意に、各送信期間は第１のサブフレーム及び第２のサブフレームを含み得る。
【００８７】
直接通信を行ういずれかの装置に関して、例えば、第１のユーザ装置、第１のユーザ装置は各送信期間の第１のサブフレームにおいて第２のユーザ装置と直接通信を実行することができるとともに、第１のユーザ装置はチャネル状態情報を少なくとも１つの送信期間の第２のサブフレームにおいて第３の装置に送信することができる。
【００８８】
すなわち、各送信期間の第１のサブフレームにおいて直接通信を実行することに加えて、第１のユーザ装置及び第２のユーザ装置は、同様に、各送信期間の第２のサブフレームにおいて送信動作を実行し得る。その代りに、同様に、第１のユーザ装置がいくつかの送信期間の第２のサブフレームにおいて送信動作を実行し、第２のユーザ装置が残りの送信期間の第２のサブフレームにおいて送信動作を実行するかもしれない。
【００８９】
下記は、説明のために特定の実例を使用する。図４において示されたように、第１のユーザ装置は、直接通信から抜けた状態で第３の装置にチャネル状態情報及び通信状態情報のうちの少なくとも１つを送信し得る。この実施シナリオにおいて、第２のサブフレームは、第１のサブフレームと重複しない。
【００９０】
図４において、サブフレームｎからサブフレームｎ＋９は、直接通信を実行するためにユーザ装置により使用されるサブフレームである。サブフレームｎ、ｎ＋１、ｎ＋２、ｎ＋３は第１のサブフレームであるとともに、第１のユーザ装置及び第２のユーザ装置が装置間データ通信を実行し、サブフレームｎ＋４は第２のサブフレームであるとともに、このサブフレームにおいて、第１のユーザ装置及び第２のユーザ装置が直接通信の状態から抜けて、第１のユーザ装置及び第２のユーザ装置のうちの１つが直接通信のチャネル状態情報を第３の装置に送信する。同様に、サブフレームｎ＋５からサブフレームｎ＋８は第１のサブフレームであるとともに、第１のユーザ装置及び第２のユーザ装置がここで直接通信の状態に入り、すなわち第１のユーザ装置及び第２のユーザ装置が装置間データ通信を実行し、サブフレームｎ＋９は第２のサブフレームであり、第１のユーザ装置及び第２のユーザ装置が直接通信の状態から抜けて、第１のユーザ装置及び第２のユーザ装置のうちの１つが直接通信に関連しているチャネル状態情報を第３の装置に送信する。
【００９１】
図４において示されたこの実施例では、１つの送信サブフレームが、直接通信の４つのデータ通信サブフレームごとのあとに密接に続いている。その代りに、５つの直接通信サブフレームごとのうちの１つが、送信サブフレームになる。この実施シナリオにおいて、直接通信の送信サブフレームの送信期間は、５ｍｓである。
【００９２】
図４を一例としてまだ使用すると、第１のユーザ装置は、直接通信から抜けない状態で第３の装置にチャネル状態情報を送信し得る。この実施シナリオにおいて、第２のサブフレームは第１のサブフレームの一部分であり、すなわち、ユーザ装置は、第２のサブフレームにおいて直接通信を実行するばかりでなく、第２のサブフレームにおいて送信動作も実行する。以前の実施例との差異は、第１のユーザ装置及び第２のユーザ装置が装置間データ通信を全てのサブフレームにおいて実行するという点にある。すなわち、サブフレームｎ＋４及びサブフレームｎ＋９にある場合に、第１のユーザ装置及び第２のユーザ装置は、直接通信の状態を抜けないが、しかし、直接通信を実行している間に、直接通信に関連しているチャネル状態情報を第３の装置に送信し、ここで、通信状態情報は、第１のユーザ装置と第２のユーザ装置との間で実行された直接通信の通信データ量情報、及び第１のユーザ装置と第２のユーザ装置との間で実行された直接通信の通信解放情報のうちの少なくとも１つを含み得る。
【００９３】
この実施シナリオにおいて、５つの直接通信サブフレームごとにおける１つは、送信サブフレームである。その代りに、直接通信の送信サブフレームの送信期間は、５ｍｓである。
【００９４】
前述の２つの期間の送信方法では、送信サブフレームは、同様に、第３の装置により動的にトリガされ得る、ということに注意が必要である。図４を一例としてまだ使用すると、第１のユーザ装置及び第２のユーザ装置は、サブフレームｎにおいて、第３の装置のトリガシグナリングを受信し、ここで、トリガシグナリングは、直接通信のチャネル状態情報を送信するように第１のユーザ装置又は第２のユーザ装置に指示する。第１のユーザ装置又は第２のユーザ装置がトリガシグナリングを受信したあとで、特定の時間遅延を経て、例えば３サブフレームの遅延を経て、第１のユーザ装置又は第２のユーザ装置は、サブフレームｎ＋４においてチャネル状態情報を送信する。
【００９５】
前述の実施例に基づくと、第１のユーザ装置又は第２のユーザ装置がチャネル状態情報を第２のサブフレームにおいて第３の装置に送信する期間は、第１のユーザ装置又は第２のユーザ装置が通信状態情報を第２のサブフレームにおいて第３の装置に送信する期間より短い。図５において示されたように、直接通信は、サブフレームｎからサブフレームｎ＋４ｋまでである、合計ｎ＋４ｋ＋１個のサブフレームを含む。第１のユーザ装置又は第２のユーザ装置がチャネル状態情報を第３の装置に送信する送信期間はｋであり、すなわち、ｋ個のサブフレームごとに１つの送信サブフレームが存在する。この実施シナリオにおいて、チャネル状態情報及び通信状態情報の送信期間は異なり得る。チャネル状態情報は、サブフレームｎ＋ｋ、ｎ＋２ｋ、及びｎ＋４ｋにおいて送信され得るとともに、通信状態情報は、サブフレームｎ＋４ｋにおいて送信され得る。
【００９６】
通信状態情報を送信する方法は、通信のチャネル状態情報を送信する方法と同様であるとともに、両者は、図４及び図５において示された方法を使用することにより送信されることができ、それは再度ここでは説明されない、ということに注意が必要である。
【００９７】
図６は、本発明によるユーザ装置の一実施例の概略構造図である。図６において示されたように、ユーザ装置は、第１のサブフレームにおいて第２のユーザ装置と直接通信を実行するように構成される通信モジュール１１と、ユーザ装置と第２のユーザ装置との間で実行された直接通信のチャネル状態情報を第２のサブフレームにおいて第３の装置に送信するように構成される送信モジュール１２と、チャネル状態情報に従って第３の装置により送信されるリソーススケジューリング情報を受信するように構成される受信モジュール１３とを含む。
【００９８】
任意に、送信モジュール１２は、ユーザ装置と第２のユーザ装置との間で実行された直接通信の通信状態情報であって、課金を行うか又はリンクを解放するために使用される通信状態情報を第２のサブフレームにおいて第３の装置に更に送信するように更に構成される。
【００９９】
任意に、ユーザ装置と第２のユーザ装置との間で実行された直接通信のチャネル状態情報は、直接通信を実行するためにユーザ装置及び第２のユーザ装置に割り当てられたリソースのチャネル状態情報、直接通信を実行するためにユーザ装置及び第２のユーザ装置に割り当てられなかったリソースのチャネル状態情報、及びシステムの帯域幅範囲の中のリソースのチャネル状態情報のうちの少なくとも１つを含む。
【０１００】
任意に、ユーザ装置と第２のユーザ装置との間で実行された直接通信の通信状態情報は、ユーザ装置と第２のユーザ装置との間で実行された直接通信の通信データ量情報、及びユーザ装置と第２のユーザ装置との間で実行された直接通信の通信解放情報のうちの少なくとも１つを含み得る。
【０１０１】
任意に、直接通信を実行するためにユーザ装置及び第２のユーザ装置に割り当てられたリソースのチャネル状態情報は、使用されたとともに、直接通信を実行するためにユーザ装置及び第２のユーザ装置に割り当てられたリソース内に存在するリソースのリソース識別子か、又は、使用されなかったとともに、直接通信を実行するためにユーザ装置及び第２のユーザ装置に割り当てられたリソース内に存在するリソースのリソース識別子を含む。
【０１０２】
任意に、直接通信を実行するためにユーザ装置及び第２のユーザ装置に割り当てられなかったリソースのチャネル状態情報は、直接通信を実行するためにユーザ装置及び第２のユーザ装置に割り当てられなかったリソースにおける一部又は全部のリソースのリソース識別子を含む。
【０１０３】
任意に、システムの帯域幅範囲の中のリソースのチャネル状態情報は、システムの帯域幅範囲の中のリソースにおける一部又は全部のリソースのリソース識別子を含む。
【０１０４】
任意に、受信モジュール１３は、第３の装置により送信され、チャネル状態情報及び通信状態情報のうちの少なくとも１つを第３の装置に送信するようにユーザ装置をトリガするために使用されるトリガシグナリングを受信するように更に構成される。
【０１０５】
任意に、各送信期間は第１のサブフレーム及び第２のサブフレームを含み、通信モジュール１１は、各送信期間の第１のサブフレームにおいて第２のユーザ装置と直接通信を実行するように具体的に構成される。
【０１０６】
送信モジュール１２は、ユーザ装置と第２のユーザ装置との間で実行された直接通信のチャネル状態情報を少なくとも１つの送信期間の第２のサブフレームにおいて第３の装置に送信するように具体的に構成され、送信モジュールは、ユーザ装置と第２のユーザ装置との間で実行された直接通信の通信状態情報を少なくとも１つの送信期間の第２のサブフレームにおいて第３の装置に送信するように更に具体的に構成される。
【０１０７】
任意に、送信モジュール１２がチャネル状態情報を第２のサブフレームにおいて第３の装置に送信する期間は、送信モジュール１２が通信状態情報を第２のサブフレームにおいて第３の装置に送信する期間より短い。
【０１０８】
任意に、第２のサブフレームは第１のサブフレームの一部分であるか、又は、第２のサブフレームは第１のサブフレームと重複しない。
【０１０９】
この実施例において提供されるユーザ装置は、前述の方法の実施例における第１のユーザ装置に相当する、ということに注意が必要である。
【０１１０】
この実施例において提供されるユーザ装置では、ユーザ装置の間で実行された直接通信のチャネル状態情報が第２のサブフレームにおいて第３の装置に対して送信され、したがって、第３の装置は、ユーザ装置の間のチャネル状態情報を学習することができるとともに、直接通信を実行するユーザ装置に関してリソーススケジューリングを更に実行することができる。
【０１１１】
図７は、本発明による直接通信を行う装置の一実施例の概略構造図である。図７において示されたように、装置は、第１のユーザ装置又は第２のユーザ装置により第２のサブフレームにおいて送信されるチャネル状態情報であって、第１のユーザ装置と第２のユーザ装置との間で実行された直接通信のチャネル状態情報を受信するように構成される受信モジュール２１と、チャネル状態情報に従って第１のユーザ装置又は第２のユーザ装置にリソーススケジューリング情報を送信するように構成される処理モジュール２２とを含み、ここで、リソーススケジューリング情報は、第１のフレームにおいて第１のユーザ装置と第２のユーザ装置との間で実行される直接通信のためのリソーススケジューリングを実行するために使用される。
【０１１２】
任意に、受信モジュール２１は、第１のユーザ装置又は第２のユーザ装置により第２のサブフレームにおいて送信される通信状態情報であって、第１のユーザ装置と第２のユーザ装置との間で実行された直接通信の通信状態情報を受信するように更に構成され得る。
【０１１３】
処理モジュール２２は、通信状態情報に従って課金を行うか又はリンクを解放するように更に構成され得る。
【０１１４】
第１のユーザ装置と第２のユーザ装置との間で実行された直接通信のチャネル状態情報は、直接通信を実行するために第１のユーザ装置及び第２のユーザ装置に割り当てられたリソースのチャネル状態情報、直接通信を実行するために第１のユーザ装置及び第２のユーザ装置に割り当てられなかったリソースのチャネル状態情報、及びシステムの帯域幅範囲の中のリソースのチャネル状態情報のうちの少なくとも１つを含む。
【０１１５】
任意に、第１のユーザ装置と第２のユーザ装置との間で実行された直接通信の通信状態情報は、第１のユーザ装置と第２のユーザ装置との間で実行された直接通信の通信データ量情報、及び第１のユーザ装置と第２のユーザ装置との間で実行された直接通信の通信解放情報のうちの少なくとも１つを含み得る。
【０１１６】
任意に、直接通信を実行するために第１のユーザ装置及び第２のユーザ装置に割り当てられたリソースのチャネル状態情報は、使用されたとともに、直接通信を実行するために第１のユーザ装置及び第２のユーザ装置に割り当てられたリソース内に存在するリソースのリソース識別子か、又は、使用されなかったとともに、直接通信を実行するために第１のユーザ装置及び第２のユーザ装置に割り当てられたリソース内に存在するリソースのリソース識別子を含む。
【０１１７】
任意に、直接通信を実行するために第１のユーザ装置及び第２のユーザ装置に割り当てられなかったリソースのチャネル状態情報は、直接通信を実行するために第１のユーザ装置及び第２のユーザ装置に割り当てられなかったリソースにおける一部又は全部のリソースのリソース識別子を含み得る。
【０１１８】
任意に、システムの帯域幅範囲の中のリソースのチャネル状態情報は、システムの帯域幅範囲の中のリソースにおける一部又は全部のリソースのリソース識別子を含み得る。
【０１１９】
任意に、装置は、チャネル状態情報を第３の装置に送信するように第１のユーザ装置又は第２のユーザ装置をトリガするために使用されるトリガシグナリングを第１のユーザ装置又は第２のユーザ装置に送信するように構成される送信モジュール２３を更に含み得る。
【０１２０】
任意に、受信モジュール２１は、第１のユーザ装置又は第２のユーザ装置により少なくとも１つの送信期間の第２のサブフレームにおいて送信されるチャネル状態情報を受信するとともに、第１のユーザ装置又は第２のユーザ装置により少なくとも１つの送信期間の第２のサブフレームにおいて送信される通信状態情報であって、第１のユーザ装置と第２のユーザ装置との間で実行された直接通信の通信状態情報を受信するように具体的に構成され得る。
【０１２１】
任意に、第２のサブフレームは第１のサブフレームの一部分であるか、又は、第２のサブフレームは第１のサブフレームと重複しない。
【０１２２】
この実施例において提供される直接通信を行う装置では、第１のユーザ装置又は第２のユーザ装置により送信されるチャネル状態情報であって、ユーザ装置の間で実行された直接通信のチャネル状態情報が受信され、したがって、ユーザ装置の間のチャネル状態情報が学習されることができるとともに、さらに、直接通信を実行するユーザ装置に関してリソーススケジューリングが実行されることができる。
【０１２３】
図８は、本発明によるユーザ装置の別の実施例の概略構造図である。図８において示されたように、ユーザ装置は、トランシーバ３１と、プロセッサ３２とを含む。
【０１２４】
プロセッサ３２は、第１のサブフレームにおいて第２のユーザ装置と直接通信を実行するように構成される。
【０１２５】
トランシーバ３１は、ユーザ装置と第２のユーザ装置との間で実行された直接通信のチャネル状態情報を第２のサブフレームにおいて第３の装置に送信するように構成される。
【０１２６】
トランシーバ３１は、チャネル状態情報に従って第３の装置により送信されるリソーススケジューリング情報を受信するように更に構成される。
【０１２７】
任意に、トランシーバ３１は、ユーザ装置と第２のユーザ装置との間で実行された直接通信の通信状態情報を第２のサブフレームにおいて第３の装置に送信するように更に構成されることができ、ここで、通信状態情報は、課金を行うか又はリンクを解放するために使用される。
【０１２８】
任意に、ユーザ装置と第２のユーザ装置との間で実行された直接通信のチャネル状態情報は、直接通信を実行するためにユーザ装置及び第２のユーザ装置に割り当てられたリソースのチャネル状態情報、直接通信を実行するためにユーザ装置及び第２のユーザ装置に割り当てられなかったリソースのチャネル状態情報、及びシステムの帯域幅範囲の中のリソースのチャネル状態情報のうちの少なくとも１つを含み得る。
【０１２９】
任意に、ユーザ装置と第２のユーザ装置との間で実行された直接通信の通信状態情報は、ユーザ装置と第２のユーザ装置との間で実行された直接通信の通信データ量情報、及びユーザ装置と第２のユーザ装置との間で実行された直接通信の通信解放情報のうちの少なくとも１つを含み得る。
【０１３０】
任意に、直接通信を実行するためにユーザ装置及び第２のユーザ装置に割り当てられたリソースのチャネル状態情報は、使用されたとともに、直接通信を実行するためにユーザ装置及び第２のユーザ装置に割り当てられたリソース内に存在するリソースのリソース識別子か、又は、使用されなかったとともに、直接通信を実行するためにユーザ装置及び第２のユーザ装置に割り当てられたリソース内に存在するリソースのリソース識別子を含む。
【０１３１】
任意に、直接通信を実行するために第１のユーザ装置及び第２のユーザ装置に割り当てられなかったリソースのチャネル状態情報は、直接通信を実行するためにユーザ装置及び第２のユーザ装置に割り当てられなかったリソースにおける一部又は全部のリソースのリソース識別子を含む。
【０１３２】
任意に、システムの帯域幅範囲の中のリソースのチャネル状態情報は、システムの帯域幅範囲の中のリソースにおける一部又は全部のリソースのリソース識別子を含む。
【０１３３】
任意に、トランシーバ３１は、第３の装置により送信され、チャネル状態情報及び通信状態情報のうちの少なくとも１つを第３の装置に送信するようにユーザ装置をトリガするために使用されるトリガシグナリングを受信するように更に構成される。
【０１３４】
任意に、各送信期間は第１のサブフレーム及び第２のサブフレームを含み、プロセッサ３２は、各送信期間の第１のサブフレームにおいて第２のユーザ装置と直接通信を実行するように具体的に構成される。
【０１３５】
トランシーバ３１は、第１のユーザ装置と第２のユーザ装置との間で実行された直接通信のチャネル状態情報を少なくとも１つの送信期間の第２のサブフレームにおいて第３の装置に送信するように具体的に構成される。トランシーバ３１は、第１のユーザ装置と第２のユーザ装置との間で実行された直接通信の通信状態情報を少なくとも１つの送信期間の第２のサブフレームにおいて第３の装置に送信するように更に具体的に構成される。
【０１３６】
任意に、トランシーバ３１がチャネル状態情報を第２のサブフレームにおいて第３の装置に送信する期間は、トランシーバ３１が通信状態情報を第２のサブフレームにおいて第３の装置に送信する期間より短い。
【０１３７】
任意に、第２のサブフレームは第１のサブフレームの一部分であるか、又は、第２のサブフレームは第１のサブフレームと重複しない。
【０１３８】
この実施例において提供されるユーザ装置では、ユーザ装置の間で実行された直接通信のチャネル状態情報が第２のサブフレームにおいて第３の装置に対して送信され、したがって、第３の装置は、ユーザ装置の間のチャネル状態情報を学習することができるとともに、直接通信を実行するユーザ装置に関してリソーススケジューリングを更に実行することができる。
【０１３９】
図９は、本発明による直接通信を行う装置のさらに別の実施例の概略構造図である。図９において示されたように、装置は、トランシーバ４１と、プロセッサ４２とを含む。
【０１４０】
トランシーバ４１は、第１のユーザ装置又は第２のユーザ装置により第２のサブフレームにおいて送信されるチャネル状態情報であって、第１のユーザ装置と第２のユーザ装置との間で実行された直接通信のチャネル状態情報を受信するように構成される。
【０１４１】
プロセッサ４２は、チャネル状態情報に従って第１のユーザ装置又は第２のユーザ装置にリソーススケジューリング情報を送信するように構成される。
【０１４２】
トランシーバ４１は、第１のユーザ装置又は第２のユーザ装置により第２のサブフレームにおいて送信される通信状態情報であって、第１のユーザ装置と第２のユーザ装置との間で実行された直接通信の通信状態情報を受信するように更に構成される。
【０１４３】
プロセッサ４２は、通信状態情報に従って課金を行うか又はリンクを解放するように更に構成される。
【０１４４】
任意に、第１のユーザ装置と第２のユーザ装置との間で実行された直接通信のチャネル状態情報は、直接通信を実行するために第１のユーザ装置及び第２のユーザ装置に割り当てられたリソースのチャネル状態情報、直接通信を実行するために第１のユーザ装置及び第２のユーザ装置に割り当てられなかったリソースのチャネル状態情報、及びシステムの帯域幅範囲の中のリソースのチャネル状態情報のうちの少なくとも１つを含み得る。
【０１４５】
任意に、第１のユーザ装置と第２のユーザ装置との間で実行された直接通信の通信状態情報は、第１のユーザ装置と第２のユーザ装置との間で実行された直接通信の通信データ量情報、及び第１のユーザ装置と第２のユーザ装置との間で実行された直接通信の通信解放情報のうちの少なくとも１つを含み得る。
【０１４６】
任意に、直接通信を実行するために第１のユーザ装置及び第２のユーザ装置に割り当てられたリソースのチャネル状態情報は、使用されたとともに、直接通信を実行するために第１のユーザ装置及び第２のユーザ装置に割り当てられたリソース内に存在するリソースのリソース識別子か、又は、使用されなかったとともに、直接通信を実行するために第１のユーザ装置及び第２のユーザ装置に割り当てられたリソース内に存在するリソースのリソース識別子を含む。
【０１４７】
任意に、直接通信を実行するために第１のユーザ装置及び第２のユーザ装置に割り当てられなかったリソースのチャネル状態情報は、直接通信を実行するために第１のユーザ装置及び第２のユーザ装置に割り当てられなかったリソースにおける一部又は全部のリソースのリソース識別子を含み得る。
【０１４８】
任意に、システムの帯域幅範囲の中のリソースのチャネル状態情報は、システムの帯域幅範囲の中のリソースにおける一部又は全部のリソースのリソース識別子を含み得る。
【０１４９】
任意に、トランシーバ４１は、チャネル状態情報を第３の装置に送信するように第１のユーザ装置又は第２のユーザ装置をトリガするために使用されるトリガシグナリングを第１のユーザ装置又は第２のユーザ装置に送信するように更に構成される。
【０１５０】
任意に、トランシーバ４１は、第１のユーザ装置又は第２のユーザ装置により少なくとも１つの送信期間の第２のサブフレームにおいて送信されるチャネル状態情報を受信するように具体的に構成される。
【０１５１】
任意に、トランシーバ４１は、第１のユーザ装置又は第２のユーザ装置により少なくとも１つの送信期間の第２のサブフレームにおいて送信される通信状態情報であって、第１のユーザ装置と第２のユーザ装置との間で実行された直接通信の通信状態情報を受信するように更に具体的に構成される。
【０１５２】
任意に、第２のサブフレームは第１のサブフレームの一部分であるか、又は、第２のサブフレームは第１のサブフレームと重複しない。
【０１５３】
この実施例において提供される装置では、第１のユーザ装置又は第２のユーザ装置により送信されるチャネル状態情報であって、ユーザ装置の間で実行された直接通信のチャネル状態情報が受信され、したがって、ユーザ装置の間のチャネル状態情報が学習されることができるとともに、さらに、直接通信を実行するユーザ装置に関してリソーススケジューリングが実行されることができる。
【０１５４】
都合が良くそして簡潔な記述のために、前述の機能モジュールの分割は例示のための一例として使用される、ということが当業者によって明らかに理解され得る。実際のアプリケーションにおいて、前述の機能は異なる機能モジュールに割り当てられることができるとともに、必要条件に従って実施されることができ、すなわち、装置の内部構造は、上述の機能の全部又は一部を実施するために、異なる機能モジュールに分割される。前述のシステム、装置、及びユニットの詳細な作業処理については、前述の方法の実施例の対応する処理に対して参照が行われるとともに、詳細は再度ここでは説明されない。
【０１５５】
本願において提供されるいくらかの実施例では、開示されたシステム、装置、及び方法は他の様式で実施され得る、ということが理解されるべきである。例えば、説明された装置の実施例は、単に代表的である。例えば、モジュール又はユニットの分割は、単に論理的な機能の分割であるとともに、実際の実装例では他の分割であるかもしれない。例えば、複数のユニット又はコンポーネントは、別のシステムに結合され得るか若しくは統合され得るか、又は、いくつかの特徴は、無視され得るか若しくは実行されないかもしれない。さらに、表示されたか若しくは論じられた相互の結合又は直接的な結合又は通信接続は、いくつかインタフェースを介して実施され得る。装置又はユニットの間の間接的な結合又は通信接続は、電子的方式、機械的方式、又は他の方式において実施され得る。
【０１５６】
別個の部品として説明されるユニットは、物理的に分離しているかもしれないし、又は物理的に分離していないかもしれないとともに、ユニットとして表示される部品は、物理的なユニットであるかもしれないし、又は物理的なユニットでないかもしれず、１つの位置に位置付けられるかもしれないし、又は複数のネットワークユニットに対して分散されるかもしれない。いくつか又は全てのユニットは、実施例の解決法の目的を達成するために、実際のニーズに従って選択され得る。
【０１５７】
さらに、本願の実施例における機能ユニットは１つの演算処理装置に統合され得るか、又は、それぞれのユニットは物理的に単独で存在し得るか、又は、２つ以上のユニットは１つのユニットに統合される。統合されたユニットは、ハードウェアの形式で実施され得るか、又は、ソフトウェア機能ユニットの形式で実施され得る。
【０１５８】
統合されたユニットがソフトウェア機能ユニットの形式で実施されるとともに、独立した製品として販売されるか又は使用される場合に、統合されたユニットは、コンピュータ読み取り可能な記憶媒体に記憶され得る。そのような理解に基づくと、本願の技術的解決法は本質的に、又は、従来技術に貢献する部分は、又は、技術的解決法の全部又は一部は、ソフトウェア製品の形式で実施され得る。ソフトウェア製品は、記憶媒体に記憶されるとともに、コンピュータ装置（それはパーソナルコンピュータ、サーバ、若しくはネットワーク装置であり得る）又はプロセッサ（processor）に、本願の実施例において説明された方法のステップの全部又は一部を実行するように指示するためのいくらかの命令を含む。前述の記憶媒体は、ＵＳＢフラッシュドライブ、リムーバブルハードディスク、読出し専用メモリ（ＲＯＭ、Read-Only  Memory）、ランダムアクセスメモリ（ＲＡＭ、Random  Access  Memory）、磁気ディスク、又は光ディスクのような、プログラムコードを記憶することができるあらゆる媒体を含む。
【０１５９】
前述の実施例は、本願の技術的解決法を説明するために単に意図されているに過ぎず、本願を限定するために意図されていない。前述の実施例に関連して本願が詳細に説明されたが、当業者は、本願の実施例の技術的解決法の精神及び範囲から逸脱することなく、前述の実施例において説明された技術的解決法にさらに修正を行い得るか、又は、それらのいくつかの技術的特徴に等価な置換を行い得る、ということを理解すべきである。
【図１】
2016527762.tif 000003
【図２】
2016527762.tif 000004
【図３】
2016527762.tif 000005
【図４】
2016527762.tif 000006
【図５】
2016527762.tif 000007
【図６】
2016527762.tif 000008
【図７】
2016527762.tif 000009
【図８】
2016527762.tif 000010
【図９】
2016527762.tif 000011
【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
情報送信方法であって、
第１のユーザ装置により、第１のサブフレームにおいて第２のユーザ装置と直接通信を実行するステップと、
前記第１のユーザ装置により、前記第１のユーザ装置と前記第２のユーザ装置との間で実行された直接通信のチャネル状態情報を第２のサブフレームにおいて第３の装置に送信するステップと、
前記第１のユーザ装置により、前記チャネル状態情報に従って前記第３の装置により送信されるリソーススケジューリング情報を受信するステップとを含む、方法。
【請求項２】
前記第１のユーザ装置により、前記第１のユーザ装置と前記第２のユーザ装置との間で実行された直接通信の通信状態情報であって、課金を行うか又はリンクを解放するために使用される前記通信状態情報を前記第２のサブフレームにおいて前記第３の装置に更に送信するステップを更に含む、請求項１に記載の方法。
【請求項３】
前記第１のユーザ装置と前記第２のユーザ装置との間で実行された直接通信の前記チャネル状態情報が、直接通信を実行するために前記第１のユーザ装置及び前記第２のユーザ装置に割り当てられたリソースのチャネル状態情報、直接通信を実行するために前記第１のユーザ装置及び前記第２のユーザ装置に割り当てられなかったリソースのチャネル状態情報、及びシステムの帯域幅範囲の中のリソースのチャネル状態情報のうちの少なくとも１つを含む、請求項２に記載の方法。
【請求項４】
前記第１のユーザ装置と前記第２のユーザ装置との間で実行された直接通信の前記通信状態情報が、前記第１のユーザ装置と前記第２のユーザ装置との間で実行された直接通信の通信データ量情報、及び前記第１のユーザ装置と前記第２のユーザ装置との間で実行された直接通信の通信解放情報のうちの少なくとも１つを含む、請求項２又は請求項３に記載の方法。
【請求項５】
直接通信を実行するために前記第１のユーザ装置及び前記第２のユーザ装置に割り当てられたリソースの前記チャネル状態情報が、
使用されたとともに、直接通信を実行するために前記第１のユーザ装置及び前記第２のユーザ装置に割り当てられたリソース内に存在するリソースのリソース識別子か、又は、
使用されなかったとともに、直接通信を実行するために前記第１のユーザ装置及び前記第２のユーザ装置に割り当てられたリソース内に存在するリソースのリソース識別子を含み、
直接通信を実行するために前記第１のユーザ装置及び前記第２のユーザ装置に割り当てられなかったリソースの前記チャネル状態情報が、直接通信を実行するために前記第１のユーザ装置及び前記第２のユーザ装置に割り当てられなかったリソースにおける一部又は全部のリソースのリソース識別子を含むとともに、
システムの帯域幅範囲の中のリソースの前記チャネル状態情報が、システムの帯域幅範囲の中のリソースにおける一部又は全部のリソースのリソース識別子を含む、請求項３に記載の方法。
【請求項６】
前記第１のユーザ装置により、前記第１のユーザ装置と前記第２のユーザ装置との間で実行された直接通信のチャネル状態情報を第２のサブフレームにおいて第３の装置に送信する前記ステップの前に、当該方法が、
前記第１のユーザ装置により、前記第３の装置により送信され、前記チャネル状態情報及び前記通信状態情報のうちの少なくとも１つを前記第３の装置に送信するように前記第１のユーザ装置をトリガするために使用されるトリガシグナリングを受信するステップを更に含む、請求項２から請求項５のいずれか一項に記載の方法。
【請求項７】
各送信期間が前記第１のサブフレーム及び前記第２のサブフレームを含み、
第１のユーザ装置により、第１のサブフレームにおいて第２のユーザ装置と直接通信を実行する前記ステップが、
前記第１のユーザ装置により、各送信期間の前記第１のサブフレームにおいて前記第２のユーザ装置と直接通信を実行するステップを含み、
前記第１のユーザ装置により、前記第１のユーザ装置と前記第２のユーザ装置との間で実行された直接通信のチャネル状態情報を第２のサブフレームにおいて第３の装置に送信する前記ステップが、
前記第１のユーザ装置により、前記第１のユーザ装置と前記第２のユーザ装置との間で実行された直接通信の前記チャネル状態情報を少なくとも１つの送信期間の前記第２のサブフレームにおいて前記第３の装置に送信するステップを含み、
前記第１のユーザ装置により、前記第１のユーザ装置と前記第２のユーザ装置との間で実行された直接通信の通信状態情報を前記第２のサブフレームにおいて前記第３の装置に更に送信する前記ステップが、
前記第１のユーザ装置により、前記第１のユーザ装置と前記第２のユーザ装置との間で実行された直接通信の前記通信状態情報を少なくとも１つの送信期間の前記第２のサブフレームにおいて前記第３の装置に更に送信するステップを含む、請求項２から請求項６のいずれか一項に記載の方法。
【請求項８】
前記第１のユーザ装置が前記チャネル状態情報を前記第２のサブフレームにおいて前記第３の装置に送信する期間が、前記第１のユーザ装置が前記通信状態情報を前記第２のサブフレームにおいて前記第３の装置に送信する期間より短い、請求項７に記載の方法。
【請求項９】
前記第２のサブフレームが前記第１のサブフレームの一部分であるか、又は、前記第２のサブフレームが前記第１のサブフレームと重複しない、請求項１から請求項８のいずれか一項に記載の方法。
【請求項１０】
ユーザ装置であって、
第１のサブフレームにおいて第２のユーザ装置と直接通信を実行するように構成される通信モジュールと、
当該ユーザ装置と前記第２のユーザ装置との間で実行された直接通信のチャネル状態情報を第２のサブフレームにおいて第３の装置に送信するように構成される送信モジュールと、
前記チャネル状態情報に従って前記第３の装置により送信されるリソーススケジューリング情報を受信するように構成される受信モジュールとを備える、ユーザ装置。
【請求項１１】
前記送信モジュールが、当該ユーザ装置と前記第２のユーザ装置との間で実行された直接通信の通信状態情報であって、課金を行うか又はリンクを解放するために使用される前記通信状態情報を前記第２のサブフレームにおいて前記第３の装置に送信するように更に構成される、請求項１０に記載のユーザ装置。
【請求項１２】
当該ユーザ装置と前記第２のユーザ装置との間で実行された直接通信の前記チャネル状態情報が、直接通信を実行するために当該ユーザ装置及び前記第２のユーザ装置に割り当てられたリソースのチャネル状態情報、直接通信を実行するために当該ユーザ装置及び前記第２のユーザ装置に割り当てられなかったリソースのチャネル状態情報、及びシステムの帯域幅範囲の中のリソースのチャネル状態情報のうちの少なくとも１つを含む、請求項１１に記載のユーザ装置。
【請求項１３】
当該ユーザ装置と前記第２のユーザ装置との間で実行された直接通信の前記通信状態情報が、当該ユーザ装置と前記第２のユーザ装置との間で実行された直接通信の通信データ量情報、及び当該ユーザ装置と前記第２のユーザ装置との間で実行された直接通信の通信解放情報のうちの少なくとも１つを含む、請求項１１又は請求項１２に記載のユーザ装置。
【請求項１４】
前記受信モジュールが、前記第３の装置により送信され、前記チャネル状態情報及び前記通信状態情報のうちの少なくとも１つを前記第３の装置に送信するように当該ユーザ装置をトリガするために使用されるトリガシグナリングを受信するように更に構成される、請求項１１から請求項１３のいずれか一項に記載のユーザ装置。
【請求項１５】
各送信期間が前記第１のサブフレーム及び前記第２のサブフレームを含み、
前記通信モジュールが、各送信期間の前記第１のサブフレームにおいて前記第２のユーザ装置と直接通信を実行するように構成され、
前記送信モジュールが、当該ユーザ装置と前記第２のユーザ装置との間で実行された直接通信の前記チャネル状態情報を少なくとも１つの送信期間の前記第２のサブフレームにおいて前記第３の装置に送信するように構成され、
前記送信モジュールが、当該ユーザ装置と前記第２のユーザ装置との間で実行された直接通信の前記通信状態情報を少なくとも１つの送信期間の前記第２のサブフレームにおいて前記第３の装置に送信するように更に構成される、請求項１１から請求項１４のいずれか一項に記載のユーザ装置。
【手続補正２】
【補正対象書類名】明細書
【補正対象項目名】０００２
【補正方法】変更
【補正の内容】
【０００２】
デバイスツーデバイス近傍サービス（Device  to  Device  Proximity  Service、略してＤ２Ｄ  ＰｒｏＳｅ）は、第３世代パートナーシッププロジェクト（The  3rd  Generation  Partnership  Project、３ＧＰＰ）におけるロングタームエボリューション（Long  Term  Evolution、ＬＴＥ）システムのＲｅｌ．１２システムの研究課題になった。
【手続補正３】
【補正対象書類名】明細書
【補正対象項目名】０００３
【補正方法】変更
【補正の内容】
【０００３】
従来技術では、ユーザ装置が基地局と通信するシナリオにおいて、ユーザ装置は、チャネルの品質を測定し、そして測定結果を基地局に送信する。基地局は、シグナリングを使用して、ユーザ装置に対して、選択されたリソース、並びに変調及び符号化レベルを送信する。しかしながら、ユーザ装置が直接通信を実行するシナリオでは、基地局がユーザ装置の間の通信の構成及び対話プロセスに参加しないので、基地局は、ユーザ装置の間のチャネルの品質を学習することができない。
【手続補正４】
【補正対象書類名】明細書
【補正対象項目名】０００６
【補正方法】変更
【補正の内容】
【０００６】
第１の態様に関連して、第１の態様の第１の可能な実施方法において、当該方法は、前記第１のユーザ装置により、前記第１のユーザ装置と前記第２のユーザ装置との間で実行された直接通信の通信状態情報であって、課金を行うか又はリンクを解放するために使用される前記通信状態情報を前記第２のサブフレームにおいて前記第３の装置に更に送信するステップを更に含む。
【手続補正５】
【補正対象書類名】明細書
【補正対象項目名】００２６
【補正方法】変更
【補正の内容】
【００２６】
第３の態様、第１の可能な実施方法、第２の可能な実施方法、又は第３の可能な実施方法に関連して、第３の態様の第４の可能な実施方法において、直接通信を実行するために当該ユーザ装置及び前記第２のユーザ装置に割り当てられたリソースの前記チャネル状態情報は、使用されたとともに、直接通信を実行するために当該ユーザ装置及び前記第２のユーザ装置に割り当てられたリソース内に存在するリソースのリソース識別子か、又は、使用されなかったとともに、直接通信を実行するために当該ユーザ装置及び前記第２のユーザ装置に割り当てられたリソース内に存在するリソースのリソース識別子を含み、直接通信を実行するために当該ユーザ装置及び前記第２のユーザ装置に割り当てられなかったリソースの前記チャネル状態情報は、直接通信を実行するために当該ユーザ装置及び前記第２のユーザ装置に割り当てられなかったリソースにおける一部又は全部のリソースのリソース識別子を含むとともに、システムの帯域幅範囲の中のリソースの前記チャネル状態情報は、システムの帯域幅範囲の中のリソースにおける一部又は全部のリソースのリソース識別子を含む。
【手続補正６】
【補正対象書類名】明細書
【補正対象項目名】００２８
【補正方法】変更
【補正の内容】
【００２８】
第３の態様、第１の可能な実施方法、第２の可能な実施方法、第３の可能な実施方法、第４の可能な実施方法、又は第５の可能な実施方法に関連して、第３の態様の第６の可能な実施方法において、各送信期間は前記第１のサブフレーム及び前記第２のサブフレームを含み、前記通信モジュールは、各送信期間の前記第１のサブフレームにおいて前記第２のユーザ装置と直接通信を実行するように構成され、前記送信モジュールは、当該ユーザ装置と前記第２のユーザ装置との間で実行された直接通信の前記チャネル状態情報を少なくとも１つの送信期間の前記第２のサブフレームにおいて前記第３の装置に送信するように構成され、前記送信モジュールは、当該ユーザ装置と前記第２のユーザ装置との間で実行された直接通信の前記通信状態情報を少なくとも１つの送信期間の前記第２のサブフレームにおいて前記第３の装置に送信するように更に構成される。
【手続補正７】
【補正対象書類名】明細書
【補正対象項目名】００３１
【補正方法】変更
【補正の内容】
【００３１】
第４の態様によれば、本発明の一実施例は、ユーザ装置間の直接通信を行う情報送信装置であって、第１のユーザ装置又は第２のユーザ装置により第２のサブフレームにおいて送信されるチャネル状態情報であって、前記第１のユーザ装置と前記第２のユーザ装置との間で実行された直接通信の前記チャネル状態情報を受信するように構成される受信モジュールと、前記チャネル状態情報に従って前記第１のユーザ装置又は前記第２のユーザ装置にリソーススケジューリング情報を送信するように構成される処理モジュールとを含む、情報送信装置を提供する。
【手続補正８】
【補正対象書類名】明細書
【補正対象項目名】００３２
【補正方法】変更
【補正の内容】
【００３２】
第４の態様に関連して、第４の態様の第１の可能な実施方法において、前記受信モジュールは、前記第１のユーザ装置又は前記第２のユーザ装置により前記第２のサブフレームにおいて送信される通信状態情報であって、前記第１のユーザ装置と前記第２のユーザ装置との間で実行された直接通信の前記通信状態情報を受信するように更に構成され、前記処理モジュールは、前記通信状態情報に従って課金を行うか又はリンクを解放するように更に構成される。
【手続補正９】
【補正対象書類名】明細書
【補正対象項目名】００３６
【補正方法】変更
【補正の内容】
【００３６】
第４の態様、第１の可能な実施方法、第２の可能な実施方法、第３の可能な実施方法、又は第４の可能な実施方法に関連して、第４の態様の第５の可能な実施方法において、当該装置は、前記チャネル状態情報及び前記通信状態情報のうちの少なくとも１つを前記第３の装置に送信するように前記第１のユーザ装置又は前記第２のユーザ装置をトリガするために使用されるトリガシグナリングを前記第１のユーザ装置又は前記第２のユーザ装置に送信するように構成される送信モジュールを更に含む。
【手続補正１０】
【補正対象書類名】明細書
【補正対象項目名】００３７
【補正方法】変更
【補正の内容】
【００３７】
第４の態様、第１の可能な実施方法、第２の可能な実施方法、第３の可能な実施方法、第４の可能な実施方法、又は第５の可能な実施方法に関連して、第４の態様の第６の可能な実施方法において、前記受信モジュールは、前記第１のユーザ装置又は前記第２のユーザ装置により少なくとも１つの送信期間の前記第２のサブフレームにおいて送信される前記チャネル状態情報を受信するとともに、前記第１のユーザ装置又は前記第２のユーザ装置により少なくとも１つの送信期間の前記第２のサブフレームにおいて送信される前記通信状態情報であって、前記第１のユーザ装置と前記第２のユーザ装置との間で実行された直接通信の前記通信状態情報を受信するように構成される。
【手続補正１１】
【補正対象書類名】明細書
【補正対象項目名】００４０
【補正方法】変更
【補正の内容】
【００４０】
本発明の実施例における技術的解決法をより明確に説明するために、下記は、実施例を説明するために必要とされる添付図面を簡単に説明する。明らかに、下記の説明における添付図面は本発明のいくつかの実施例を表すとともに、当業者は、創造的な努力なしでこれらの添付図面からさらに他の図面を導き出し得る。
【手続補正１２】
【補正対象書類名】明細書
【補正対象項目名】００４３
【補正方法】変更
【補正の内容】
【００４３】
この明細書で説明された技術は、様々な通信システム、例えば、現在の２Ｇ及び３Ｇ通信システム、並びに、次世代通信システム、例えば、グローバルシステムフォーモバイルコミュニケーションズ（ＧＳＭ、Global  System  for  Mobile  communications）、符号分割多元接続（ＣＤＭＡ、Code  Division  Multiple  Access）システム、時分割多元接続（ＴＤＭＡ、Time  Division  Multiple  Access）システム、広帯域符号分割多元接続（ＷＣＤＭＡ、Wideband  Code  Division  Multiple  Access）システム、周波数分割多元接続（ＦＤＭＡ、Frequency  Division  Multiple  Access）システム、直交周波数分割多元接続（ＯＦＤＭＡ、Orthogonal  Frequency-Division  Multiple  Access）システム、シングルキャリアＦＤＭＡ（ＳＣ−ＦＤＭＡ）システム、汎用パケット無線システム（ＧＰＲＳ、General  Packet  Radio  Service）システム、ロングタームエボリューション（ＬＴＥ、Long  Term  Evolution）システム、及び他の通信システムに適用され得る。
【手続補正１３】
【補正対象書類名】明細書
【補正対象項目名】００４４
【補正方法】変更
【補正の内容】
【００４４】
この出願における端末、すなわち、ユーザ機器は、無線端末又は有線端末であり得る。無線端末は、ユーザに音声及び／又はデータ接続性を提供する装置、無線通信接続機能を有する携帯用装置、又は無線通信モデムに接続される別の処理装置のことを指し得る。無線端末は、無線アクセスネットワーク（例えば、ＲＡＮ、Radio  Access  Networkなど）を通して１つ又は複数のコアネットワークと通信し得る。無線端末は、携帯電話（同様に“セルラ”電話と呼ばれる）のような携帯端末であり得るとともに、携帯端末を有するコンピュータは、例えば、ポータブル型装置、ポケット型装置、ハンドヘルド装置、コンピュータ内蔵型装置、又は車載用携帯装置であるかもしれず、それは無線アクセスネットワークと音声及び／又はデータを交換する。例えば、それは、パーソナル通信サービス（ＰＣＳ、Personal  Communication  Service）電話、コードレス電話機、セッション開始プロトコル（ＳＩＰ）電話、ワイヤレスローカルループ（ＷＬＬ、Wireless  Local  Loop）ステーション、又は携帯情報端末（ＰＤＡ、Personal  Digital  Assistant）のような装置であり得る。無線端末は、同様に、システム、加入者ユニット（Subscriber  Unit）、加入者ステーション（Subscriber  Station）、移動局（Mobile  Station）、移動端末（Mobile  Terminal）、リモートステーション（Remote  Station）、アクセスポイント（Access  Point）、リモート端末（Remote  Terminal）、アクセス端末（Access  Terminal）、ユーザ端末（User  Terminal）、ユーザエージェント（User  Agent）、ユーザ装置（User  Device）、又はユーザ機器（User  Equipment）と呼ばれ得る。
【手続補正１４】
【補正対象書類名】明細書
【補正対象項目名】００４５
【補正方法】変更
【補正の内容】
【００４５】
この明細書における基地局（例えば、アクセスポイント）は、１つ又は複数のセクションを使用することによりアクセスネットワークにおける無線インタフェース上でユーザ機器と通信する装置であり得る。基地局は、受信される無線フレームとＩＰパケットを相互に変換するとともに、ユーザ機器とアクセスネットワークの残り部分との間のルータとしての機能を果たすように構成されることができ、ここで、アクセスネットワークの残り部分は、インターネットプロトコル（ＩＰ）ネットワークを含み得る。基地局は、同様に、無線インタフェースの属性管理を統合し得る。例えば、基地局は、ＧＳＭ又はＣＤＭＡにおける基地局（ＢＴＳ、Base  Transceiver  Station）であるかもしれず、同様に、ＷＣＤＭＡにおける基地局（ＮｏｄｅＢ）であるかもしれず、そして、さらにＬＴＥにおける進化型ＮｏｄｅＢ（ＮｏｄｅＢ、ｅＮＢ、又はｅ−ＮｏｄｅＢ、evolved  Node  B）であるかもしれず、それは本発明では限定されない。
【手続補正１５】
【補正対象書類名】明細書
【補正対象項目名】００６５
【補正方法】変更
【補正の内容】
【００６５】
下記は、説明のために特定の実例を使用する。システムの帯域幅は２０ＭＨｚであり、そしてシステムの帯域幅範囲の中で、利用可能な物理リソースブロックペア（Physical  Resource  Block  Pair、ＰＲＢ  Ｐａｉｒ）の数量は１００個であると、仮定されている。ＰＲＢ  Ｐａｉｒ１１＃からＰＲＢ  Ｐａｉｒ２０＃までの２０個のＰＲＢ  Ｐａｉｒは、直接通信を実行するために第１のユーザ装置及び第２のユーザ装置に割り当てられた。チャネルのマルチパス効果は、チャネル周波数領域の選択性フェージングをもたらすので、直接通信を実行するためにユーザ装置に割り当てられた２０個のＰＲＢ  Ｐａｉｒにおけるチャネル品質情報（ＣＱＩ）は、異なるかもしれない。例えば、ＰＲＢ  Ｐａｉｒ１１＃からＰＲＢ  Ｐａｉｒ１５＃までの変調及び符号化方法（Modulation  and  Coding  Scheme、ＭＣＳ）レベル（level）は１２であり、そしてＰＲＢ  Ｐａｉｒ１６＃からＰＲＢ  Ｐａｉｒ２０＃までのＭＣＳ  Ｌｅｖｅｌは６である。ＰＲＢ  Ｐａｉｒ１６＃からＰＲＢ  Ｐａｉｒ２０＃までのＰＲＢ  Ｐａｉｒのチャネル品質が悪く、ＰＲＢ  Ｐａｉｒが正常なデータ通信をサポートすることができない、という可能性がある。
この実施シナリオにおいて、第１のユーザ装置は、チャネル状態情報を第３の装置に送信することができ、ここで、チャネル状態情報は、ＰＲＢ  Ｐａｉｒ１６＃からＰＲＢ  Ｐａｉｒ２０＃までのＰＲＢ  Ｐａｉｒのリソース識別子を含むとともに、直接通信を実行するためにユーザ装置に割り当てられたリソースのチャネル品質が悪く、それらのリソースが解放されるかもしれず、そして第１のユーザ装置と第２のユーザ装置との間の直接通信のために使用されない、ということを示すために使用される。この実施シナリオにおいて、第１のユーザ装置は、同様に、チャネル状態情報を第３の装置に送信することができ、ここで、チャネル状態情報は、ＰＲＢ  Ｐａｉｒ１１＃からＰＲＢ  Ｐａｉｒ１５＃までのＰＲＢ  Ｐａｉｒのリソース識別子を含むとともに、直接通信を実行するためにユーザ装置に割り当てられたリソース（ＰＲＢ  Ｐａｉｒ１１＃からＰＲＢ  Ｐａｉｒ２０＃までの２０個のＰＲＢ  Ｐａｉｒ）では、識別子により示されたリソースのみが使用され、残っているリソース（ＰＲＢ  Ｐａｉｒ１６＃からＰＲＢ  Ｐａｉｒ２０＃までのリソース）が解放されるかもしれず、そして第１のユーザ装置と第２のユーザ装置との間の直接通信のために使用されない、ということを示すために使用される。チャネル状態情報は、リソース（'scheduled'  resources）の再割り当て（re-allocation）要求を使用することにより第３の装置に送信され得る。
【手続補正１６】
【補正対象書類名】明細書
【補正対象項目名】００６７
【補正方法】変更
【補正の内容】
【００６７】
第１のユーザ装置は、直接通信において使用されているリソース、及び使用されることが示唆されるリソースを、第３の装置に更に送信し得る。例えば、特定の実例において、ＰＲＢ  Ｐａｉｒ１１＃からＰＲＢ  Ｐａｉｒ２０＃までの２０個のＰＲＢ  Ｐａｉｒは、直接通信を実行するために第１のユーザ装置及び第２のユーザ装置に割り当てられたとともに、ここで、直接通信を実行するために第１のユーザ装置及び第２のユーザ装置により使用されるリソースは、ＰＲＢ  Ｐａｉｒ１１＃からＰＲＢ  Ｐａｉｒ１５＃までのリソースであり、ＰＲＢ  Ｐａｉｒ２１＃からＰＲＢ  Ｐａｉｒ２５＃までのリソースの干渉レベルが小さいので、それらのリソースは、直接通信を実行するために第１のユーザ装置及び第２のユーザ装置により使用されるかもしれない。したがって、この実施シナリオにおいて、第１のユーザ装置は、同様に、チャネル状態情報を第３の装置に送信することができ、ここで、チャネル状態情報は、ＰＲＢ  Ｐａｉｒ１１＃からＰＲＢ  Ｐａｉｒ１５＃までのＰＲＢ  Ｐａｉｒのリソース識別子、及びＰＲＢ  Ｐａｉｒ２１＃からＰＲＢ  Ｐａｉｒ２５＃までのＰＲＢ  Ｐａｉｒのリソース識別子を含むとともに、直接通信を実行するためにユーザ装置に割り当てられたリソース（ＰＲＢ  Ｐａｉｒ１１＃からＰＲＢ  Ｐａｉｒ２０＃までの２０個のＰＲＢ  Ｐａｉｒ）においてＰＲＢ  Ｐａｉｒ１１＃からＰＲＢ  Ｐａｉｒ１５＃までのリソースのみが使用され、残っているリソース（ＰＲＢ  Ｐａｉｒ１６＃からＰＲＢ  Ｐａｉｒ２０＃までのリソース）は解放されるかもしれず、そして第１のユーザ装置と第２のユーザ装置との間の直接通信のために使用されないことを示すために使用され、第１のユーザ装置と第２のユーザ装置との間で直接通信を実行するためにＰＲＢ  Ｐａｉｒ２１＃からＰＲＢ  Ｐａｉｒ２５＃までのリソースを使用することが示唆される。
【手続補正１７】
【補正対象書類名】明細書
【補正対象項目名】００６９
【補正方法】変更
【補正の内容】
【００６９】
この実施例において提供される情報送信方法では、第１のサブフレームにおいてユーザ装置の間で直接通信が実行されるとともに、ユーザ装置の間で実行された直接通信のチャネル状態情報が第２のサブフレームにおいて第３の装置に対して送信され、したがって、第３の装置は、ユーザ装置の間のチャネル状態情報を学習することができるとともに、直接通信を実行するユーザ装置に関してリソーススケジューリングを更に実行することができる。
【手続補正１８】
【補正対象書類名】明細書
【補正対象項目名】００８７
【補正方法】変更
【補正の内容】
【００８７】
直接通信を行ういずれかの装置に関して、例えば、第１のユーザ装置は各送信期間の第１のサブフレームにおいて第２のユーザ装置と直接通信を実行することができるとともに、第１のユーザ装置はチャネル状態情報を少なくとも１つの送信期間の第２のサブフレームにおいて第３の装置に送信することができる。
【手続補正１９】
【補正対象書類名】明細書
【補正対象項目名】００９２
【補正方法】変更
【補正の内容】
【００９２】
図４を一例としてまだ使用すると、第１のユーザ装置は、直接通信から抜けない状態で第３の装置にチャネル状態情報を送信し得る。この実施シナリオにおいて、第２のサブフレームは第１のサブフレームの一部分であり、すなわち、ユーザ装置は、第２のサブフレームにおいて直接通信を実行するばかりでなく、第２のサブフレームにおいて送信動作も実行する。以前の実施例との差異は、第１のユーザ装置及び第２のユーザ装置が装置間データ通信を全てのサブフレームにおいて実行するという点にある。すなわち、サブフレームｎ＋４及びサブフレームｎ＋９にある場合に、第１のユーザ装置及び第２のユーザ装置は、直接通信の状態を抜けないが、しかし、直接通信を実行している間に、直接通信に関連している通信状態情報を第３の装置に送信し、ここで、通信状態情報は、第１のユーザ装置と第２のユーザ装置との間で実行された直接通信の通信データ量情報、及び第１のユーザ装置と第２のユーザ装置との間で実行された直接通信の通信解放情報のうちの少なくとも１つを含み得る。
【手続補正２０】
【補正対象書類名】明細書
【補正対象項目名】００９５
【補正方法】変更
【補正の内容】
【００９５】
前述の実施例に基づくと、第１のユーザ装置又は第２のユーザ装置がチャネル状態情報を第２のサブフレームにおいて第３の装置に送信する期間は、第１のユーザ装置又は第２のユーザ装置が通信状態情報を第２のサブフレームにおいて第３の装置に送信する期間より短い。図５において示されたように、直接通信は、サブフレームｎからサブフレームｎ＋４ｋまでである、合計ｎ＋４ｋ＋１個のサブフレームを含む。第１のユーザ装置又は第２のユーザ装置がチャネル状態情報を第３の装置に送信する送信期間はｋであり、すなわち、ｋ個のサブフレームごとに１つの送信サブフレームが存在する。この実施シナリオにおいて、チャネル状態情報及び通信状態情報の送信期間は異なり得る。チャネル状態情報は、サブフレームｎ＋ｋ、ｎ＋２ｋ、及びｎ＋３ｋにおいて送信され得るとともに、通信状態情報は、サブフレームｎ＋４ｋにおいて送信され得る。
【手続補正２１】
【補正対象書類名】明細書
【補正対象項目名】０１３１
【補正方法】変更
【補正の内容】
【０１３１】
任意に、直接通信を実行するためにユーザ装置及び第２のユーザ装置に割り当てられなかったリソースのチャネル状態情報は、直接通信を実行するためにユーザ装置及び第２のユーザ装置に割り当てられなかったリソースにおける一部又は全部のリソースのリソース識別子を含む。
【手続補正２２】
【補正対象書類名】明細書
【補正対象項目名】０１３５
【補正方法】変更
【補正の内容】
【０１３５】
トランシーバ３１は、ユーザ装置と第２のユーザ装置との間で実行された直接通信のチャネル状態情報を少なくとも１つの送信期間の第２のサブフレームにおいて第３の装置に送信するように具体的に構成される。トランシーバ３１は、ユーザ装置と第２のユーザ装置との間で実行された直接通信の通信状態情報を少なくとも１つの送信期間の第２のサブフレームにおいて第３の装置に送信するように更に具体的に構成される。
【国際調査報告】
2016527762.tif 000012
2016527762.tif 000013
2016527762.tif 000014
2016527762.tif 000015